(57)【特許請求の範囲】
【請求項１】
無線通信システムにおいてパイロットを伝送する方法であって、
第１の送信アンテナのための第１のパイロットを、第１の巡回遅延に基づいて生成すること、および
第２の送信アンテナのための第２のパイロットを、前記第１の巡回遅延より少なくともサイクリックプレフィックス長だけ長い第２の巡回遅延に基づいて生成することを備え、ここにおいて、前記第１のパイロットおよび前記第２のパイロットを生成することは、ｐだけ間隔が離れたサブキャリア（subcarriers）にマップされたＯＦＤＭシンボル（symbols）を生成することを備え、ここにおいて、ｐは、ＮＦＦＴを割り切れない素数であり、ＮＦＦＴは、前記ＯＦＤＭシンボルのためのＦＦＴサイズである方法。
【請求項２】
第３の送信アンテナのための第３のパイロットを、前記第２の巡回遅延より少なくとも前記サイクリックプレフィックス長だけ長い第３の巡回遅延に基づいて生成することをさらに備える、請求項１に記載の方法。
【請求項３】
各送信アンテナの前記巡回遅延は、
【数１】
0005579626.tif 000049
ただし、ＮＣ，０≧０であり、ＮＣ，ｉ≧ＮＣＰ  ∀ｉ≧１であり、ＮＣＰは、前記サイクリックプレフィックス長であり、ｍは、送信アンテナ添え字であり、ｔｍは、送信アンテナｍの前記巡回遅延であり、ｍ＝０，１，．．．，Ｍ−１である、請求項１に記載の方法。
【請求項４】
前記第１の巡回遅延はゼロであり、前記第２の巡回遅延は、前記サイクリックプレフィックス長以上である、請求項１に記載の方法。
【請求項５】
前記第１および第２の巡回遅延はシグナリングによって送信されない、請求項１に記載の方法。
【請求項６】
前記第１のパイロットを生成することは、さらに、前記第１のパイロットを備える第１のサンプルシーケンスを生成すること、および前記第１のサンプルシーケンスを、前記第１の巡回遅延の分だけ巡回遅延させることを備え、
前記第２のパイロットを生成することは、さらに、前記第２のパイロットを備える第２のサンプルシーケンスを生成すること、および、前記第２のサンプルシーケンスを、前記第２の巡回遅延の分だけ巡回遅延させることを備える、請求項１に記載の方法。
【請求項７】
前記生成されたＯＦＤＭシンボルは、前記第１のパイロットを備え、かつ、前記第１の巡回遅延を有する、第１のＯＦＤＭシンボル、および、前記第２のパイロットを備え、かつ、前記第２の巡回遅延を有する、第２のＯＦＤＭシンボルを備える、請求項１に記載の方法。
【請求項８】
パイロットシンボルは、前記第１および第２のＯＦＤＭシンボルの両方のためのサブキャリアの同じセットにマップされる、請求項６に記載の方法。
【請求項９】
【数２】
0005579626.tif 000050
であり、ただし、Ｓは、パイロットシンボルを有するサブキャリアの数であり、Ｍは、送信アンテナの数であり、
【数３】
0005579626.tif 000051
は、ｍ＝０，．．．，Ｍ−１について、送信アンテナｍの巡回遅延の長さである、請求項７に記載の方法。
【請求項１０】
【数４】
0005579626.tif 000052
であり、ただし、Ｍは、送信アンテナの数であり、
【数５】
0005579626.tif 000053
は、ｍ＝０，．．．，Ｍ−１について、送信アンテナｍの巡回遅延の長さである、請求項７に記載の方法。
【請求項１１】
無線通信システムにおいてチャネル推定を行う方法であって、
第１および第２のパイロットを備える第１の入力サンプルを得ることであって、前記第１のパイロットは、第１の巡回遅延に基づいて生成され、第１の送信アンテナから送信され、前記第２のパイロットは、第２の巡回遅延に基づいて生成され、第２の送信アンテナから送信され、前記第２の巡回遅延は、前記第１の巡回遅延より少なくともサイクリックプレフィックス長だけ長く、前記第１の入力サンプルは、第１の受信アンテナからのものであること、および
ｐだけ間隔が離れたサブキャリア（subcarriers）に基づいて、前記第１の入力サンプルを処理して、前記第１の送信アンテナについての第１のチャネル推定値、および、前記第２の送信アンテナについての第２のチャネル推定値を得ることを備え、ここにおいて、ｐは、ＮＦＦＴを割り切れない素数であり、ＮＦＦＴは、前記ＯＦＤＭシンボルのためのＦＦＴサイズである方法。
【請求項１２】
前記第１および第２のパイロットを備える第２の入力サンプルを得ることであって、前記第２の入力サンプルは、第２の受信アンテナからのものであること、および
前記第２の入力サンプルを処理して、前記第１の送信アンテナについての第３のチャネル推定値、および、前記第２の送信アンテナについての第４のチャネル推定値を得ることをさらに備える、請求項１１に記載の方法。
【請求項１３】
前記第１の入力サンプルを処理することは、
前記第１の入力サンプルを処理して、前記パイロットサブキャリアについての観測結果を得ること、および
前記観測結果を処理して、前記第１および第２のチャネル推定値を得ることを備える、請求項１１に記載の方法。
【請求項１４】
前記第１の入力サンプルを処理して観測結果を得ることは、
前記第１の入力サンプルにおいてＯＦＤＭ復調を行い、前記パイロットサブキャリアのための受信パイロットシンボルを得ること、および
前記受信パイロットシンボルからパイロット変調を除去して、前記パイロットサブキャリアについての前記観測結果を得ることを備える、請求項１３に記載の方法。
【請求項１５】
前記観測結果を処理することは、最小平均２乗誤差（ＭＭＳＥ）技術に基づいて、前記観測結果を処理して、前記第１および第２のチャネル推定値を得ることを備える、請求項１３に記載の方法。
【請求項１６】
前記第２の入力サンプルを処理することは、
前記第２の入力サンプルを処理して、前記パイロットサブキャリアについての観測結果を得ること、および
前記観測結果を処理して、前記第３および第４のチャネル推定値を得ることを備える、請求項１２に記載の方法。
【請求項１７】
前記第２の入力サンプルを処理して観測結果を得ることは、
前記第２の入力サンプルにおいてＯＦＤＭ復調を行い、前記パイロットサブキャリアのための受信パイロットシンボルを得ること、および
前記受信パイロットシンボルからパイロット変調を除去して、前記パイロットサブキャリアについての前記観測結果を得ることを備える、請求項１６に記載の方法。
【請求項１８】
前記観測結果を処理することは、最小平均２乗誤差（ＭＭＳＥ）技術に基づいて、前記観測結果を処理して、前記第３および第４のチャネル推定値を得ることを備える、請求項１６に記載の方法。
【請求項１９】
無線通信システムにおいてパイロットを伝送するための装置であって、
第１の送信アンテナのための第１のパイロットを、第１の巡回遅延に基づいて生成するためのロジック、および
第２の送信アンテナのための第２のパイロットを、前記第１の巡回遅延より少なくともサイクリックプレフィックス長だけ長い第２の巡回遅延に基づいて生成するためのロジックを備え、ここにおいて、前記第１のパイロットおよび前記第２のパイロットを生成するための前記ロジックは、ｐだけ間隔が離れたサブキャリア（subcarriers）にマップされたＯＦＤＭシンボル（symbols）を生成することを備え、ここにおいて、ｐは、ＮＦＦＴを割り切れない素数であり、ＮＦＦＴは、前記ＯＦＤＭシンボルのためのＦＦＴサイズである装置。
【請求項２０】
第３の送信アンテナのための第３のパイロットを、前記第２の巡回遅延より少なくとも前記サイクリックプレフィックス長だけ長い第３の巡回遅延に基づいて生成するためのロジックをさらに備える、請求項１９に記載の装置。
【請求項２１】
各送信アンテナの前記巡回遅延は、
【数６】
0005579626.tif 000054
ただし、ＮＣ，０≧０であり、ＮＣ，ｉ≧ＮＣＰ  ∀ｉ≧１であり、ＮＣＰは、前記サイクリックプレフィックス長であり、ｍは、送信アンテナ添え字であり、ｔｍは、送信アンテナｍの前記巡回遅延であり、ｍ＝０，１，．．．，Ｍ−１である、請求項１９に記載の装置。
【請求項２２】
前記第１の巡回遅延はゼロであり、前記第２の巡回遅延は、前記サイクリックプレフィックス長以上である、請求項１９に記載の装置。
【請求項２３】
前記第１および第２の巡回遅延はシグナリングによって送信されない、請求項１９に記載の装置。
【請求項２４】
前記第１のパイロットを生成するための前記ロジックは、さらに、第１のサンプルシーケンスを生成するためのものであって、前記第１のパイロットを備え、前記第１のサンプルシーケンスを、前記第１の巡回遅延の分だけ巡回遅延させるロジックを備え、
前記第２のパイロットを生成するための前記ロジックは、さらに、第２のサンプルシーケンスを生成するためのものであって、前記第２のパイロットを備え、前記第２のサンプルシーケンスを、前記第２の巡回遅延の分だけ巡回遅延させるロジックを備える、請求項１９に記載の装置。
【請求項２５】
前記生成されたＯＦＤＭシンボルは、前記第１のパイロットを備え、かつ、前記第１の巡回遅延を有する、第１のＯＦＤＭシンボル、および、前記第２のパイロットを備え、かつ、前記第２の巡回遅延を有する、第２のＯＦＤＭシンボルを備える、請求項１９に記載の装置。
【請求項２６】
パイロットシンボルは、前記第１および第２のＯＦＤＭシンボルの両方のためのサブキャリアの同じセットにマップされる、請求項２４に記載の装置。
【請求項２７】
【数７】
0005579626.tif 000055
であり、ただし、Ｓは、パイロットシンボルを有するサブキャリアの数であり、Ｍは、送信アンテナの数であり、
【数８】
0005579626.tif 000056
は、ｍ＝０，．．．，Ｍ−１について、送信アンテナｍの巡回遅延の長さである、請求項２５に記載の装置。
【請求項２８】
【数９】
0005579626.tif 000057
であり、ただし、Ｍは、送信アンテナの数であり、
【数１０】
0005579626.tif 000058
は、ｍ＝０，．．．，Ｍ−１について、送信アンテナｍの巡回遅延の長さである、請求項２５に記載の装置。
【請求項２９】
無線通信システムにおいてチャネル推定を行うための装置であって、
第１および第２のパイロットを備える第１の入力サンプルを得るためのロジックであって、前記第１のパイロットは、第１の巡回遅延に基づいて生成され、第１の送信アンテナから送信され、前記第２のパイロットは、第２の巡回遅延に基づいて生成され、第２の送信アンテナから送信され、前記第２の巡回遅延は、前記第１の巡回遅延より少なくともサイクリックプレフィックス長だけ長く、前記第１の入力サンプルは、第１の受信アンテナからのものであるロジック、および
ｐだけ間隔が離れたサブキャリア（subcarriers）に基づいて、前記第１の入力サンプルを処理して、前記第１の送信アンテナについての第１のチャネル推定値、および、前記第２の送信アンテナについての第２のチャネル推定値を得るためのロジックを備え、ここにおいて、ｐは、ＮＦＦＴを割り切れない素数であり、ＮＦＦＴは、前記ＯＦＤＭシンボルのためのＦＦＴサイズである装置。
【請求項３０】
前記第１および第２のパイロットを備える第２の入力サンプルを得るためのロジックであって、前記第２の入力サンプルは、第２の受信アンテナからのものであるロジック、および
前記第２の入力サンプルを処理して、前記第１の送信アンテナについての第３のチャネル推定値、および、前記第２の送信アンテナについての第４のチャネル推定値を得るためのロジックをさらに備える、請求項２９に記載の装置。
【請求項３１】
前記第１の入力サンプルを処理するための前記ロジックは、
前記第１の入力サンプルを処理して、前記パイロットサブキャリアについての観測結果を得るためのロジック、および
前記観測結果を処理して、前記第１および第２のチャネル推定値を得るためのロジックを備える、請求項２９に記載の装置。
【請求項３２】
前記第１の入力サンプルを処理して観測結果を得るための前記ロジックは、
前記第１の入力サンプルにおいてＯＦＤＭ復調を行い、前記パイロットサブキャリアのための受信パイロットシンボルを得るためのロジック、および
前記受信パイロットシンボルからパイロット変調を除去して、前記パイロットサブキャリアについての前記観測結果を得るためのロジックを備える、請求項３１に記載の装置。
【請求項３３】
前記観測結果を処理するための前記ロジックは、最小平均２乗誤差（ＭＭＳＥ）技術に基づいて、前記観測結果を処理して、前記第１および第２のチャネル推定値を得るためのロジックを備える、請求項３１に記載の装置。
【請求項３４】
前記第２の入力サンプルを処理するための前記ロジックは、
前記第２の入力サンプルを処理して、前記パイロットサブキャリアについての観測結果を得るためのロジック、および
前記観測結果を処理して、前記第３および第４のチャネル推定値を得るためのロジックを備える、請求項３０に記載の装置。
【請求項３５】
前記第２の入力サンプルを処理して観測結果を得るための前記ロジックは、
前記第２の入力サンプルにおいてＯＦＤＭ復調を行い、前記パイロットサブキャリアのための受信パイロットシンボルを得るためのロジック、および
前記受信パイロットシンボルからパイロット変調を除去して、前記パイロットサブキャリアについての前記観測結果を得るためのロジックを備える、請求項３４に記載の装置。
【請求項３６】
前記観測結果を処理するための前記ロジックは、最小平均２乗誤差（ＭＭＳＥ）技術に基づいて、前記観測結果を処理して、前記第３および第４のチャネル推定値を得るためのロジックを備える、請求項３４に記載の装置。
【請求項３７】
無線通信システムにおいてパイロットを伝送するための装置であって、
第１の送信アンテナのための第１のパイロットを、第１の巡回遅延に基づいて生成するための手段、および
第２の送信アンテナのための第２のパイロットを、前記第１の巡回遅延より少なくともサイクリックプレフィックス長だけ長い第２の巡回遅延に基づいて生成するための手段を備え、ここにおいて、前記第１のパイロットおよび前記第２のパイロットを生成するための前記手段は、ｐだけ間隔が離れたサブキャリア（subcarriers）にマップされたＯＦＤＭシンボル（symbols）を生成するための手段を備え、ここにおいて、ｐは、ＮＦＦＴを割り切れない素数であり、ＮＦＦＴは、前記ＯＦＤＭシンボルのためのＦＦＴサイズである装置。
【請求項３８】
第３の送信アンテナのための第３のパイロットを、前記第２の巡回遅延より少なくとも前記サイクリックプレフィックス長だけ長い第３の巡回遅延に基づいて生成するための手段をさらに備える、請求項３７に記載の装置。
【請求項３９】
各送信アンテナの前記巡回遅延は、
【数１１】
0005579626.tif 000059
ただし、ＮＣ，０≧０であり、ＮＣ，ｉ≧ＮＣＰ  ∀ｉ≧１であり、ＮＣＰは、前記サイクリックプレフィックス長であり、ｍは、送信アンテナ添え字であり、ｔｍは、送信アンテナｍの前記巡回遅延であり、ｍ＝０，１，．．．，Ｍ−１である、請求項３７に記載の装置。
【請求項４０】
前記第１の巡回遅延はゼロであり、前記第２の巡回遅延は、前記サイクリックプレフィックス長以上である、請求項３７に記載の装置。
【請求項４１】
前記第１および第２の巡回遅延はシグナリングによって送信されない、請求項３７に記載の装置。
【請求項４２】
前記第１のパイロットを生成するための前記ロジックは、さらに、第１のサンプルシーケンスを生成するためのものであって、前記第１のパイロットを備え、前記第１のサンプルシーケンスを、前記第１の巡回遅延の分だけ巡回遅延させる手段を備え、
前記第２のパイロットを生成するための前記手段は、さらに、第２のサンプルシーケンスを生成するためのものであって、前記第２のパイロットを備え、前記第２のサンプルシーケンスを、前記第２の巡回遅延の分だけ巡回遅延させる手段を備える、請求項３７に記載の装置。
【請求項４３】
前記生成されたＯＦＤＭシンボルは、前記第１のパイロットを備え、かつ、前記第１の巡回遅延を有する、第１のＯＦＤＭシンボル、および、
前記第２のパイロットを備え、かつ、前記第２の巡回遅延を有する、第２のＯＦＤＭシンボルを備える、請求項３７に記載の装置。
【請求項４４】
前記パイロットシンボルは、前記第１および第２のＯＦＤＭシンボルの両方のためのサブキャリアの同じセットにマップされる、請求項４２に記載の装置。
【請求項４５】
【数１２】
0005579626.tif 000060
であり、ただし、Ｓは、パイロットシンボルを有するサブキャリアの数であり、Ｍは、送信アンテナの数であり、
【数１３】
0005579626.tif 000061
は、ｍ＝０，．．．，Ｍ−１について、送信アンテナｍの巡回遅延の長さである、請求項４３に記載の装置。
【請求項４６】
【数１４】
0005579626.tif 000062
であり、ただし、Ｍは、送信アンテナの数であり、
【数１５】
0005579626.tif 000063
は、ｍ＝０，．．．，Ｍ−１について、送信アンテナｍの巡回遅延の長さである、請求項４３に記載の装置。
【請求項４７】
無線通信システムにおいてチャネル推定を行うための装置であって、
第１および第２のパイロットを備える第１の入力サンプルを得るための手段であって、前記第１のパイロットは、第１の巡回遅延に基づいて生成され、第１の送信アンテナから送信され、前記第２のパイロットは、第２の巡回遅延に基づいて生成され、第２の送信アンテナから送信され、前記第２の巡回遅延は、前記第１の巡回遅延より少なくともサイクリックプレフィックス長だけ長く、前記第１の入力サンプルは、第１の受信アンテナからのものである手段、および
ｐだけ間隔が離れたサブキャリア（subcarriers）に基づいて、前記第１の入力サンプルを処理して、前記第１の送信アンテナについての第１のチャネル推定値、および、前記第２の送信アンテナについての第２のチャネル推定値を得るための手段を備え、ここにおいて、ｐは、ＮＦＦＴを割り切れない素数であり、ＮＦＦＴは、前記ＯＦＤＭシンボルのためのＦＦＴサイズである装置。
【請求項４８】
前記第１および第２のパイロットを備える第２の入力サンプルを得るための手段であって、前記第２の入力サンプルは、第２の受信アンテナからのものである手段、および
前記第２の入力サンプルを処理して、前記第１の送信アンテナについての第３のチャネル推定値、および、前記第２の送信アンテナについての第４のチャネル推定値を得るための手段をさらに備える、請求項４７に記載の装置。
【請求項４９】
前記第１の入力サンプルを処理するための前記手段は、
前記第１の入力サンプルを処理して、前記パイロットサブキャリアについての観測結果を得るための手段、および
前記観測結果を処理して、前記第１および第２のチャネル推定値を得るための手段を備える、請求項４７に記載の装置。
【請求項５０】
前記第１の入力サンプルを処理して観測結果を得るための前記手段は、
前記第１の入力サンプルにおいてＯＦＤＭ復調を行い、前記パイロットサブキャリアのための受信パイロットシンボルを得るための手段、および
前記受信パイロットシンボルからパイロット変調を除去して、前記パイロットサブキャリアについての前記観測結果を得るための手段を備える、請求項４９に記載の装置。
【請求項５１】
前記観測結果を処理するための前記手段は、最小平均２乗誤差（ＭＭＳＥ）技術に基づいて、前記観測結果を処理して、前記第１および第２のチャネル推定値を得るための手段を備える、請求項４９に記載の装置。
【請求項５２】
前記第２の入力サンプルを処理するための前記手段は、
前記第２の入力サンプルを処理して、前記パイロットサブキャリアについての観測結果を得るための手段、および
前記観測結果を処理して、前記第３および第４のチャネル推定値を得るための手段を備える、請求項４８に記載の装置。
【請求項５３】
前記第２の入力サンプルを処理して観測結果を得るための前記手段は、
前記第２の入力サンプルにおいてＯＦＤＭ復調を行い、前記パイロットサブキャリアのための受信パイロットシンボルを得るための手段、および
前記受信パイロットシンボルからパイロット変調を除去して、前記パイロットサブキャリアについての前記観測結果を得るための手段を備える、請求項５２に記載の装置。
【請求項５４】
前記観測結果を処理するための前記手段は、最小平均２乗誤差（ＭＭＳＥ）技術に基づいて、前記観測結果を処理して、前記第３および第４のチャネル推定値を得るための手段を備える、請求項５２に記載の装置。
【請求項５５】
無線通信システムにおいてパイロットを伝送するためのコンピュータプログラムであって、１つまたは複数のプロセッサによって実行可能な命令を備え、前記命令は、
第１の送信アンテナのための第１のパイロットを、第１の巡回遅延に基づいて生成するための命令、および
第２の送信アンテナのための第２のパイロットを、前記第１の巡回遅延より少なくともサイクリックプレフィックス長だけ長い第２の巡回遅延に基づいて生成するための命令を備え、
ここにおいて、前記第１のパイロットおよび前記第２のパイロットを生成するための前記命令は、ｐだけ間隔が離れたサブキャリア（subcarriers）にマップされたＯＦＤＭシンボル（symbols）を生成するための命令を備え、ここにおいて、ｐは、ＮＦＦＴを割り切れない素数であり、ＮＦＦＴは、前記ＯＦＤＭシンボルのためのＦＦＴサイズである、コンピュータプログラム。
【請求項５６】
前記命令は、
第３の送信アンテナのための第３のパイロットを、前記第２の巡回遅延より少なくとも前記サイクリックプレフィックス長だけ長い第３の巡回遅延に基づいて生成するための命令をさらに備える、請求項５５に記載のコンピュータプログラム。
【請求項５７】
各送信アンテナの前記巡回遅延は、
【数１６】
0005579626.tif 000064
ただし、ＮＣ，０≧０であり、ＮＣ，ｉ≧ＮＣＰ  ∀ｉ≧１であり、ＮＣＰは、前記サイクリックプレフィックス長であり、ｍは、送信アンテナ添え字であり、ｔｍは、送信アンテナｍの前記巡回遅延であり、ｍ＝０，１，．．．，Ｍ−１である、請求項５５に記載のコンピュータプログラム。
【請求項５８】
前記第１の巡回遅延はゼロであり、前記第２の巡回遅延は、前記サイクリックプレフィックス長以上である、請求項５５に記載のコンピュータプログラム。
【請求項５９】
前記第１および第２の巡回遅延はシグナリングによって送信されない、請求項５５に記載のコンピュータプログラム。
【請求項６０】
前記第１のパイロットを生成するための前記命令は、さらに、第１のサンプルシーケンスを生成するためのものであって、前記第１のパイロットを備え、前記第１のサンプルシーケンスを、前記第１の巡回遅延の分だけ巡回遅延させる命令を備え、
前記第２のパイロットを生成するための前記命令は、さらに、第２のサンプルシーケンスを生成するためのものであって、前記第２のパイロットを備え、前記第２のサンプルシーケンスを、前記第２の巡回遅延の分だけ巡回遅延させる命令を備える、請求項５５に記載のコンピュータプログラム。
【請求項６１】
前記生成されたＯＦＤＭシンボルは、前記第１のパイロットを備え、かつ、記第１の巡回遅延を有する、第１のＯＦＤＭシンボル、および、前記第２のパイロットを備え、かつ、前記第２の巡回遅延を有する、第２のＯＦＤＭシンボルを備える、請求項５５に記載のコンピュータプログラム。
【請求項６２】
前記パイロットシンボルは、前記第１および第２のＯＦＤＭシンボルの両方のためのサブキャリアの同じセットにマップされる、請求項６０に記載のコンピュータプログラム。
【請求項６３】
【数１７】
0005579626.tif 000065
であり、ただし、Ｓは、パイロットシンボルを有するサブキャリアの数であり、Ｍは、送信アンテナの数であり、
【数１８】
0005579626.tif 000066
は、ｍ＝０，．．．，Ｍ−１について、送信アンテナｍの巡回遅延の長さである、請求項６１に記載のコンピュータプログラム。
【請求項６４】
【数１９】
0005579626.tif 000067
であり、ただし、Ｍは、送信アンテナの数であり、
【数２０】
0005579626.tif 000068
は、ｍ＝０，．．．，Ｍ−１について、送信アンテナｍの巡回遅延の長さである、請求項６１に記載のコンピュータプログラム。
【請求項６５】
無線通信システムにおいてチャネル推定を行うためのコンピュータプログラムであって、プロセッサによって実行可能な命令を備え、前記命令は１つまたは複数のプロセッサによって実行可能であり、前記命令は、
第１および第２のパイロットを備える第１の入力サンプルを得るための命令であって、前記第１のパイロットは、第１の巡回遅延に基づいて生成され、第１の送信アンテナから送信され、前記第２のパイロットは、第２の巡回遅延に基づいて生成され、第２の送信アンテナから送信され、前記第２の巡回遅延は、前記第１の巡回遅延より少なくともサイクリックプレフィックス長だけ長く、前記第１の入力サンプルは、第１の受信アンテナからのものである命令、および
ｐだけ間隔が離れたサブキャリア（subcarriers）に基づいて、前記第１の入力サンプルを処理して、前記第１の送信アンテナについての第１のチャネル推定値、および、前記第２の送信アンテナについての第２のチャネル推定値を得るための命令を備え、ここにおいて、ｐは、ＮＦＦＴを割り切れない素数であり、ＮＦＦＴは、前記ＯＦＤＭシンボルのためのＦＦＴサイズである、コンピュータプログラム。
【請求項６６】
前記命令は、
前記第１および第２のパイロットを備える第２の入力サンプルを得るための命令であって、前記第２の入力サンプルは、第２の受信アンテナからのものである命令、および
前記第２の入力サンプルを処理して、前記第１の送信アンテナについての第３のチャネル推定値、および、前記第２の送信アンテナについての第４のチャネル推定値を得るための命令をさらに備える、請求項６５に記載のコンピュータプログラム。
【請求項６７】
前記第１の入力サンプルを処理するための前記命令は、
前記第１の入力サンプルを処理して、前記パイロットサブキャリアについての観測結果を得るための命令、および
前記観測結果を処理して、前記第１および第２のチャネル推定値を得るための命令を備える、請求項６５に記載のコンピュータプログラム。
【請求項６８】
前記第１の入力サンプルを処理して観測結果を得るための前記命令は、
前記第１の入力サンプルにおいてＯＦＤＭ復調を行い、前記パイロットサブキャリアのための受信パイロットシンボルを得るための命令、および
前記受信パイロットシンボルからパイロット変調を除去して、前記パイロットサブキャリアについての前記観測結果を得るための命令を備える、請求項６７に記載のコンピュータプログラム。
【請求項６９】
前記観測結果を処理するための前記命令は、最小平均２乗誤差（ＭＭＳＥ）技術に基づいて、前記観測結果を処理して、前記第１および第２のチャネル推定値を得るための命令を備える、請求項６７に記載のコンピュータプログラム。
【請求項７０】
前記第２の入力サンプルを処理するための前記命令は、
前記第２の入力サンプルを処理して、前記パイロットサブキャリアについての観測結果を得るための命令、および
前記観測結果を処理して、前記第３および第４のチャネル推定値を得るための命令を備える、請求項６６に記載のコンピュータプログラム。
【請求項７１】
前記第２の入力サンプルを処理して観測結果を得るための前記命令は、
前記第２の入力サンプルにおいてＯＦＤＭ復調を行い、前記パイロットサブキャリアのための受信パイロットシンボルを得るための命令、および
前記受信パイロットシンボルからパイロット変調を除去して、前記パイロットサブキャリアについての前記観測結果を得るための命令を備える、請求項７０に記載のコンピュータプログラム。
【請求項７２】
前記観測結果を処理するための前記命令は、最小平均２乗誤差（ＭＭＳＥ）技術に基づいて、前記観測結果を処理して、前記第３および第４のチャネル推定値を得るための命令を備える、請求項７０に記載のコンピュータプログラム。
【請求項７３】
周波数ダイバーシティを作成するために、各アンテナから送信されたＯＦＤＭパイロットシンボル（symbols）を異なる量で遅延させることをさらに備える、請求項１に記載の方法。
【請求項７４】
前記遅延されたＯＦＤＭパイロットシンボル（symbols）に基づいて多入力多出力（ＭＩＭＯ）システム内のチャネル推定を行うことをさらに備える、請求項７３に記載の方法。
【発明の詳細な説明】
【技術分野】
【０００１】
優先権の主張
本出願は、あらゆる目的で、参照により本明細書に全体として組み込まれている、２００８年３月１４日に出願した「Ｍｅｔｈｏｄ  ａｎｄ  ａｐｐａｒａｔｕｓ  ｆｏｒ  ｔｒａｎｓｍｉｔｔｉｎｇ  ｐｉｌｏｔｓ  ｆｒｏｍ  ｍｕｌｔｉｐｌｅ  ａｎｔｅｎｎａｓ」という名称の米国仮特許出願第６１／０３６，８９５号の優先権を主張するものである。
【０００２】
本開示のある実施形態は、一般に無線通信に関し、より詳細には、チャネル利得を正確に推定するために、マルチアンテナ伝送のための巡回遅延の適切な値を選択するための方法に関する。
【発明の概要】
【０００３】
ある実施形態は、無線通信システムにおいてパイロットを伝送する方法を提供する。この方法は一般に、第１の送信アンテナのための第１のパイロットを、第１の巡回遅延に基づいて生成すること、および、第２の送信アンテナのための第２のパイロットを、第１の巡回遅延より少なくともサイクリックプレフィックス長（cyclic prefix length）だけ長い第２の巡回遅延に基づいて生成することを備える。
【０００４】
ある実施形態は、無線通信システムにおいてチャネル推定を行う方法を提供する。この方法は一般に、第１および第２のパイロットを備える第１の入力サンプルを得ることであって、第１のパイロットは、第１の巡回遅延に基づいて生成され、第１の送信アンテナから送信され、第２のパイロットは、第２の巡回遅延に基づいて生成され、第２の送信アンテナから送信され、第２の巡回遅延は、第１の巡回遅延より少なくともサイクリックプレフィックス長だけ長く、第１の入力サンプルは、第１の受信アンテナからのものであること、および、第１の入力サンプルを処理して、第１の送信アンテナについての第１のチャネル推定値、および、第２の送信アンテナについての第２のチャネル推定値を得ることを備える。
【０００５】
ある実施形態は、無線通信システムにおいてパイロットを伝送するための装置を提供する。この装置は一般に、第１の送信アンテナのための第１のパイロットを、第１の巡回遅延に基づいて生成するためのロジック、および、第２の送信アンテナのための第２のパイロットを、第１の巡回遅延より少なくともサイクリックプレフィックス長だけ長い第２の巡回遅延に基づいて生成するためのロジックを備える。
【０００６】
ある実施形態は、無線通信システムにおいてチャネル推定を行うための装置を提供する。この装置は一般に、第１および第２のパイロットを備える第１の入力サンプルを得るためのロジックであって、第１のパイロットは、第１の巡回遅延に基づいて生成され、第１の送信アンテナから送信され、第２のパイロットは、第２の巡回遅延に基づいて生成され、第２の送信アンテナから送信され、第２の巡回遅延は、第１の巡回遅延より少なくともサイクリックプレフィックス長だけ長く、第１の入力サンプルは、第１の受信アンテナからのものであるロジック、および、第１の入力サンプルを処理して、第１の送信アンテナについての第１のチャネル推定値、および、第２の送信アンテナについての第２のチャネル推定値を得るためのロジックを備える。
【０００７】
ある実施形態は、無線通信システムにおいてパイロットを伝送するための装置を提供する。この装置は一般に、第１の送信アンテナのための第１のパイロットを、第１の巡回遅延に基づいて生成するための手段、および、第２の送信アンテナのための第２のパイロットを、第１の巡回遅延より少なくともサイクリックプレフィックス長だけ長い第２の巡回遅延に基づいて生成するための手段を備える。
【０００８】
ある実施形態は、無線通信システムにおいてチャネル推定を行うための装置を提供する。この装置は一般に、第１および第２のパイロットを備える第１の入力サンプルを得るための手段であって、第１のパイロットは、第１の巡回遅延に基づいて生成され、第１の送信アンテナから送信され、第２のパイロットは、第２の巡回遅延に基づいて生成され、第２の送信アンテナから送信され、第２の巡回遅延は、第１の巡回遅延より少なくともサイクリックプレフィックス長だけ長く、第１の入力サンプルは、第１の受信アンテナからのものである手段、および、第１の入力サンプルを処理して、第１の送信アンテナについての第１のチャネル推定値、および、第２の送信アンテナについての第２のチャネル推定値を得るための手段を備える。
【０００９】
ある実施形態は、無線通信システムにおいてパイロットを伝送するためのコンピュータプログラム製品であって、命令を格納しているコンピュータ可読媒体を備え、命令は１つまたは複数のプロセッサによって実行可能である、コンピュータプログラム製品を提供する。これらの命令は一般に、第１の送信アンテナのための第１のパイロットを、第１の巡回遅延に基づいて生成するための命令、および、第２の送信アンテナのための第２のパイロットを、第１の巡回遅延より少なくともサイクリックプレフィックス長だけ長い第２の巡回遅延に基づいて生成するための命令を備える。
【００１０】
ある実施形態は、無線通信システムにおいてチャネル推定を行うためのコンピュータプログラム製品であって、命令を格納しているコンピュータ可読媒体を備え、命令は１つまたは複数のプロセッサによって実行可能である、コンピュータプログラム製品を提供する。これらの命令は一般に、第１および第２のパイロットを備える第１の入力サンプルを得るための命令であって、第１のパイロットは、第１の巡回遅延に基づいて生成され、第１の送信アンテナから送信され、第２のパイロットは、第２の巡回遅延に基づいて生成され、第２の送信アンテナから送信され、第２の巡回遅延は、第１の巡回遅延より少なくともサイクリックプレフィックス長だけ長く、第１の入力サンプルは、第１の受信アンテナからのものである命令、および、第１の入力サンプルを処理して、第１の送信アンテナについての第１のチャネル推定値、および、第２の送信アンテナについての第２のチャネル推定値を得るための命令を備える。
【００１１】
本開示の上記の特徴が詳細に理解できるように、上記で簡単に要約された、より詳細な説明は、実施形態を参照することにより有することができ、実施形態のいくつかは添付の図面に例示される。しかし、添付の図面は本開示のある典型的な実施形態のみを例示し、したがって、その範囲の限定と見なされるべきではなく、説明のために、他の同様に効果的な実施形態を認める場合があることに留意されたい。
【図面の簡単な説明】
【００１２】
【図１】本開示のある実施形態による一例の無線通信システムを示す図。
【図２】本開示のある実施形態による、一例の時分割二重（ＴＤＤ）のための直交周波数分割多重方式／直交周波数分割多元接続（ＯＦＤＭ／ＯＦＤＭＡ）フレームを示す図。
【図３】本開示のある実施形態による、無線通信システム内で使用される場合のある一例の送信機および一例の受信機を示す図。
【図４】本開示のある実施形態によるＯＦＤＭ変調器の設計のブロック図。
【図５】本開示のある実施形態による巡回遅延ダイバーシティの一例を示す図。
【図６】本開示のある実施形態による、１つのＯＦＤＭシンボルのための一例のパイロットサブキャリア構造を示す図。
【図７】本開示のある実施形態による、図３の基地局における変調器の設計のブロック図。
【図８】本開示のある実施形態による、多入力１出力（ＭＩＳＯ）または多入力多出力（ＭＩＭＯ）システムのためのパイロットを生成するための処理を示す図。
【図８Ａ】図８に示す動作を行うことが可能なコンポーネントの例を示す図。
【図９】本開示のある実施形態によるチャネル推定器の設計のブロック図。
【図１０】本開示のある実施形態による、ＭＩＳＯまたはＭＩＭＯシステムにおいてチャネル推定を行うための処理を示す図。
【図１０Ａ】図１０に示す動作を行うことが可能なコンポーネントの例を示す図。
【発明を実施するための形態】
【００１３】
「例示的」という語は、本明細書で「例、事例、または例示としての機能を果たす」ことを意味するために使用される。本明細書で「例示的」と記載されたいかなる実施形態も、必ずしも他の実施形態よりも好ましい、または有利であると解釈されるべきではない。
【００１４】
巡回遅延ダイバーシティ（ＣＤＤ）方式は、より高い周波数ダイバーシティを提供し、誤り率性能を向上させるために、マルチアンテナ直交周波数分割多重方式（ＯＦＤＭ）伝送に対して適用することができる。複数のアンテナから、巡回遅延されたデータを伝送することによって、複数の人工的チャネルパスを生成することができる。複数の送信アンテナに関連付けられたチャネル利得の推定を、既知のパイロットまたはトレーニングシーケンスを使用して受信機側で行うことができる。しかし、場合によっては、巡回遅延されたパイロットシーケンスがチャネルプロファイルのパス遅延に一致する場合、時間領域チャネルパスを受信機で完全に分離することはできない。
【００１５】
例示的無線通信システム
本明細書に記載された技術は、直交多重方式に基づく通信システムを含む、様々なブロードバンド無線通信システムに対して使用される場合がある。このような通信システムの例には、直交周波数分割多元接続（ＯＦＤＭＡ）システム、シングルキャリア周波数分割多元接続（ＳＣ−ＦＤＭＡ）システムなどが含まれる。ＯＦＤＭＡシステムは、システム帯域幅全体を複数の直交サブキャリアに分割する変調技術である、直交周波数分割多重方式（ＯＦＤＭ）を利用する。これらのサブキャリアはまた、トーン、ビンなどと呼ばれる場合もある。ＯＦＤＭでは、各サブキャリアはデータにより別々に変調される場合がある。ＳＣ−ＦＤＭＡシステムは、システム帯域幅に渡って分散されているサブキャリア上で伝送するために、インタリーブドＦＤＭＡ（interleaved FDMA）（ＩＦＤＭＡ）を利用する場合があり、隣接サブキャリアのブロック上で伝送するために、ローカライズドＦＤＭＡ（localized FDMA）（ＬＦＤＭＡ）を利用する場合があり、または、隣接サブキャリアの複数のブロック上で伝送するために、エンハンストＦＤＭＡ（enhanced FDMA）（ＥＦＤＭＡ）を利用する場合がある。一般に、変調シンボルは、ＯＦＤＭにより周波数領域において、また、ＳＣ−ＦＤＭＡにより時間領域において、送信される。
【００１６】
直交多重方式に基づく通信システムの１つの具体例は、ＷｉＭＡＸシステムである。ＷｉＭＡＸとは、「Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ」の略であり、長距離に渡って高スループットのブロードバンド接続を提供する、標準ベースのブロードバンド無線技術である。今日、ＷｉＭＡＸの２つの主な応用、すなわち、固定ＷｉＭＡＸおよびモバイルＷｉＭＡＸがある。固定ＷｉＭＡＸ応用は一対多であり、例えば、自宅および会社へのブロードバンドアクセスを可能とする。モバイルＷｉＭＡＸは、ブロードバンド速度でセルラーネットワークの完全なモビリティを提供する。
【００１７】
ＩＥＥＥ  ８０２．１６は、固定およびモバイルブロードバンド無線アクセス（ＢＷＡ）システムのためのエアインターフェースを定義するための、新たな標準機構である。これらの標準は、少なくとも４つの異なる物理層（ＰＨＹ）および１つの媒体アクセス制御（ＭＡＣ）層を定義する。４つの物理層のうちＯＦＤＭおよびＯＦＤＭＡ物理層は、それぞれ固定およびモバイルＢＷＡ分野で最もよく知られている。
【００１８】
図１は、本開示の実施形態が採用される場合のある、無線通信システム１００の一例を示す。無線通信システム１００は、ブロードバンド無線通信システムである場合がある。無線通信システム１００は、それぞれが基地局１０４によってサービスされるいくつかのセル１０２のための通信を提供する場合がある。基地局１０４は、ユーザ端末１０６と通信する固定局である場合がある。基地局１０４は、あるいは、アクセスポイント、ノードＢ、または、ある他の用語で呼ばれる場合がある。
【００１９】
図１は、システム１００全体に分散された様々なユーザ端末１０６を示す。ユーザ端末１０６は、固定されている（すなわち、静止している）か、または移動体である場合がある。ユーザ端末１０６は、あるいは、リモート局、アクセス端末、端末、加入者ユニット、移動局、局、ユーザ装置、加入者局などと呼ばれる場合がある。ユーザ端末１０６は、携帯電話、携帯情報端末（ＰＤＡ）、ハンドヘルドデバイス、無線モデム、ラップトップコンピュータ、パーソナルコンピュータなど、無線デバイスである場合がある。
【００２０】
様々なアルゴリズムおよび方法を、基地局１０４とユーザ端末１０６の間で、無線通信システム１００における伝送のために使用してもよい。例えば、ＯＦＤＭ／ＯＦＤＭＡ技術に従って、基地局１０４とユーザ端末１０６の間で、信号を送信および受信してもよい。この場合には、無線通信システム１００は、ＯＦＤＭ／ＯＦＤＭＡシステムと呼ばれる場合がある。
【００２１】
基地局１０４からユーザ端末１０６への伝送を容易にする通信リンクは、ダウンリンク（ＤＬ）１０８と呼ばれる場合があり、ユーザ端末１０６から基地局１０４への伝送を容易にする通信リンクは、アップリンク（ＵＬ）１１０と呼ばれる場合がある。あるいは、ダウンリンク１０８は、順方向リンクまたは順方向チャネルと呼ばれる場合があり、アップリンク１１０は、逆方向リンクまたは逆方向チャネルと呼ばれる場合がある。
【００２２】
セル１０２は、複数のセクタ１１２に分割される場合がある。セクタ１１２は、セル１０２内の物理的カバレッジエリアである。無線通信システム１００内の基地局１０４は、セル１０２の特定のセクタ１１２内の電力の流れを集中させるアンテナを利用する場合がある。このようなアンテナは、指向性アンテナと呼ばれる場合がある。
【００２３】
図２は、ＩＥＥＥ  ８０２．１６の時分割二重（ＴＤＤ）モードのための、一例のフレーム構造２００を示す。伝送タイムラインは、フレーム単位に分割される場合がある。各フレームは、所定の持続時間、例えば、５ミリ秒（ｍｓ）に及ぶ場合があり、ダウンリンクサブフレームおよびアップリンクサブフレームに分割される場合がある。一般に、ダウンリンクおよびアップリンクサブフレームは、フレームのいかなる部分をカバーする場合もある。ダウンリンクおよびアップリンクサブフレームは、送信伝送ギャップ（ＴＴＧ）および受信伝送ギャップ（ＲＴＧ）によって分離される場合がある。
【００２４】
いくつかの物理サブチャネルが定義される場合がある。各物理サブチャネルは、連続的であるか、またはシステム帯域幅に渡って分散される場合のある、サブキャリアのセットを含む場合がある。いくつかの論理サブチャネルもまた定義される場合があり、既知のマッピングに基づいて物理サブチャネルにマップされる場合がある。論理サブチャネルは、リソースの割り振りを簡素化する場合がある。
【００２５】
図２に示すように、ダウンリンクサブフレームは、プリアンブル、フレーム制御ヘッダ（ＦＣＨ）、ダウンリンクマップ（ＤＬ−ＭＡＰ）、アップリンクマップ（ＵＬ−ＭＡＰ）、および、ダウンリンク（ＤＬ）バーストを含む場合がある。プリアンブルは、フレーム検出および同期のために加入者局によって使用される場合のある、既知の伝送を搬送する場合がある。ＦＣＨは、ＤＬ−ＭＡＰ、ＵＬ−ＭＡＰおよびダウンリンクバーストを受信するために使用されるパラメータを搬送する場合がある。ＤＬ−ＭＡＰは、ダウンリンクアクセスのための様々なタイプの制御情報（例えば、リソース割り振りまたは割り当て）のための情報要素（ＩＥ）を含む場合のある、ＤＬ−ＭＡＰメッセージを搬送する場合がある。ＵＬ−ＭＡＰは、アップリンクアクセスのための様々なタイプの制御情報のためのＩＥを含む場合のある、ＵＬ−ＭＡＰメッセージを搬送する場合がある。ダウンリンクバーストは、サービスされている加入者局についてのデータを搬送する場合がある。アップリンクサブフレームは、アップリンク伝送のためにスケジュールされた加入者局によって伝送されたデータを搬送する場合のある、アップリンクバーストを含む場合がある。
【００２６】
本明細書に記載されたパイロット伝送技術は、多入力多出力（ＭＩＭＯ）伝送、ならびに、多入力１出力伝送（ＭＩＳＯ）伝送のために使用される場合がある。これらの技術はまた、ダウンリンクならびにアップリンク上のパイロット伝送のために使用される場合もある。明確にするために、これらの技術のある態様を、ＭＩＭＯによるダウンリンク上のパイロット伝送について、以下で説明する。
【００２７】
図３は、図１の基地局の１つおよび加入者局の１つである、基地局１０４および加入者局１０６の設計のブロック図を示す。基地局１０４は、複数（Ｍ個）のアンテナ３３４ａから３３４ｍを装備する。加入者局１０６は、複数（Ｒ個）のアンテナ３５２ａから３５２ｒを装備する。
【００２８】
基地局１０４において、送信（ＴＸ）データプロセッサ３２０は、データ送信装置３１２からデータを受信し、１つまたは複数の変調および符号化方式に基づいて、このデータを処理（例えば、符号化およびシンボルマップ）し、データシンボルを提供する場合がある。本明細書で使用されるとき、データシンボルは、データのためのシンボルであり、パイロットシンボルは、パイロットのためのシンボルであり、シンボルは、実数または複素数値である場合がある。データおよびパイロットシンボルは、ＰＳＫまたはＱＡＭなど、変調方式からの変調シンボルであってもよい。パイロットは、基地局および加入者局の両方によって既知でアプリオリであるデータを備える場合がある。ＴＸ  ＭＩＭＯプロセッサ３３０は、データおよびパイロットシンボルを処理し、Ｍ個の出力シンボルストリームをＭ個の変調器（ＭＯＤ）３３２ａから３３２ｍに提供する場合がある。各変調器３３２は、出力サンプルストリームを得るために、その出力シンボルストリームを（例えば、ＯＦＤＭのために）処理する場合がある。各変調器３３２は、その出力サンプルストリームをさらに調整（例えば、アナログへの変換、フィルタ、増幅、およびアップコンバート）し、ダウンリンク信号を生成する場合がある。変調器３３２ａから３３２ｍからのＭ個のダウンリンク信号は、それぞれアンテナ３３４ａから３３４ｍを介して送信される場合がある。
【００２９】
加入者局１０６において、Ｒ個のアンテナ３５２ａから３５２ｒは、基地局１０４からＭ個のダウンリンク信号を受信する場合があり、各アンテナ３５２は、受信信号を、関連付けられた復調器（ＤＥＭＯＤ）３５４へ提供する場合がある。各復調器３５４は、入力サンプルを得るために、その受信信号を調整（例えば、フィルタ、増幅、ダウンコンバート、およびディジタル化）する場合があり、受信シンボルを得るために、入力サンプルを（例えば、ＯＦＤＭのために）さらに処理する場合がある。各復調器３５４は、受信データシンボルをＭＩＭＯ検波器３６０へ提供し、受信パイロットシンボルをチャネルプロセッサ３９４へ提供する場合がある。チャネルプロセッサ３９４は、受信パイロットシンボルに基づいて、基地局１０４から加入者局１２０へのＭＩＭＯチャネルの応答を推定し、ＭＩＭＯチャネル推定値をＭＩＭＯ検波器３６０へ提供する場合がある。ＭＩＭＯ検波器３６０は、ＭＩＭＯチャネル推定値に基づいて、受信シンボルにおいてＭＩＭＯ検波を行い、伝送されたデータシンボルの推定値である検出シンボルを提供する場合がある。受信（ＲＸ）データプロセッサ３７０は、検出シンボルを処理（例えば、シンボルデマッピングおよび復号）し、復号されたデータをデータ受信装置３７２に提供する場合がある。
【００３０】
加入者局１０６は、チャネル条件を評価し、様々なタイプの情報を備える場合のあるフィードバック情報を生成する場合がある。データ送信装置３７８からのフィードバック情報およびデータは、ＴＸデータプロセッサ３８０によって処理され（例えば、符号化され、シンボルマップされ）、ＴＸ  ＭＩＭＯプロセッサ３８２によって空間処理され、また、アンテナ３５２ａから３５２ｒを介して送信される場合のあるＲ個のアップリンク信号を生成するために、変調器３５４ａから３５４ｒによってさらに処理される場合がある。基地局１０４において、加入者局１０６からのＲ個のアップリンク信号は、アンテナ３３４ａから３３４ｍによって受信され、復調器３３２ａから３３２ｍによって処理され、ＭＩＭＯ検波器３３６によって空間処理され、また、加入者局１０６によって送信されたフィードバック情報およびデータを回復するために、ＲＸデータプロセッサ３３８によってさらに処理される（例えば、シンボルデマップされ、復号される）場合がある。コントローラ／プロセッサ３４０は、フィードバック情報に基づいて、加入者局１０６へのデータ伝送を制御する場合がある。
【００３１】
コントローラ／プロセッサ３４０および３９０は、それぞれ基地局１０４および加入者局１０６において、動作を指図する場合がある。メモリ３４２および３９２は、それぞれ基地局１０４および加入者局１０６のためのデータおよびプログラムコードを格納する場合がある。スケジューラ３４４は、すべての加入者局から受信されたフィードバック情報に基づいて、ダウンリンクおよび／またはアップリンク上でのデータ伝送について、加入者局１０６および／または他の加入者局をスケジュールする場合がある。
【００３２】
ＩＥＥＥ  ８０２．１６は、ダウンリンクおよびアップリンクについて、直交周波数分割多重方式（ＯＦＤＭ）を利用する。ＯＦＤＭは、システム帯域幅を、トーン、ビンなどと呼ばれる場合もある複数（ＮＦＦＴ）の直交サブキャリアに分割する。各サブキャリアは、データまたはパイロットにより変調される場合がある。サブキャリアの数は、システム帯域幅、ならびに、隣接サブキャリア間の周波数間隔によって決まる場合がある。例えば、ＮＦＦＴは、１２８、２５６、５１２、１０２４または２０４８に等しい場合がある。ＮＦＦＴ個の全サブキャリアのサブセットのみが、データおよびパイロットの伝送のために使用可能である場合があり、残りのサブキャリアは、システムがスペクトルマスク要件を満たすことを可能にするために、ガードサブキャリアとしての機能を果たす場合がある。以下の説明では、データサブキャリアは、データのために使用されるサブキャリアであり、パイロットサブキャリアは、パイロットのために使用されるサブキャリアである。ＯＦＤＭシンボルは、各ＯＦＤＭシンボル周期（または、単に、シンボル周期）において伝送される場合がある。各ＯＦＤＭシンボルは、データを送信するために使用されるデータサブキャリア、パイロットを送信するために使用されるパイロットサブキャリア、および／または、データまたはパイロットのために使用されないガードサブキャリアを含む場合がある。
【００３３】
図４は、図３の変調器３３２ａから３３２ｍおよび変調器３５４ａから３５４ｒの各々に含まれる場合のある、ＯＦＤＭ変調器４００の設計のブロック図を示す。ＯＦＤＭ変調器４００内で、シンボル−サブキャリアマッパ４１０は、出力シンボルを受信し、ＮＦＦＴ個の全サブキャリアにマップする。各ＯＦＤＭシンボル周期において、ユニット４１２は、ＮＦＦＴ点の離散逆フーリエ変換（ＩＤＦＴ）により、ＮＦＦＴ個の全サブキャリアのためのＮＦＦＴ個の出力シンボルを時間領域に変換し、ＮＦＦＴ個の時間領域サンプルを含む有用部を提供する。各サンプルは、１チップ周期において伝送される複素数値である。並列直列（Ｐ／Ｓ）コンバータ４１４は、有用部内のＮＦＦＴ個のサンプルを直列化する。サイクリックプレフィックスジェネレータ４１６は、有用部の最後のＮＣＰ個のサンプルをコピーし、これらのＮＣＰ個のサンプルを有用部の前方に付加して、ＮＦＦＴ＋ＮＣＰ個のサンプルを含むＯＦＤＭシンボルを形成する。各ＯＦＤＭシンボルは、よって、ＮＦＦＴ個のサンプルの有用部、および、ＮＣＰ個のサンプルのサイクリックプレフィックスを含む。サイクリックプレフィックスは、無線チャネルにおける遅延拡散によって引き起こされた符号間干渉（ＩＳＩ）およびキャリア間干渉（ＩＣＩ）に対処するために使用される。
【００３４】
図３に戻って参照すると、ダウンリンク上で、ＭＩＭＯチャネルは、基地局１０４におけるＭ個の送信アンテナ、および、加入者局１０６におけるＲ個の受信アンテナによって形成される。このＭＩＭＯチャネルは、Ｍ・Ｒ個の１入力１出力（ＳＩＳＯ）チャネル、すなわち、送信および受信アンテナの可能な対毎に１つのＳＩＳＯチャネルからなる。各ＳＩＳＯチャネルのためのチャネル応答は、時間領域チャネルインパルス応答、または、対応する周波数領域チャネル周波数応答によって特徴付けられる場合がある。チャネル周波数応答は、チャネルインパルス応答の離散フーリエ変換（ＤＦＴ）である。
【００３５】
各ＳＩＳＯチャネルのためのチャネルインパルス応答は、Ｌ個の時間領域チャネルタップによって特徴付けられる場合があり、ただし、Ｌは典型的には、ＮＦＦＴよりはるかに小さい。すなわち、インパルスが送信アンテナに加えられる場合、このインパルス刺激に対して受信アンテナで取られたサンプルレートでのＬ個の時間領域サンプルは、ＳＩＳＯチャネルの応答を特徴付けるために十分となる。チャネルインパルス応答のためのチャネルタップの必要数（Ｌ）は、受信アンテナにおける十分なエネルギーの、最も早く到着する信号インスタンスと、最も遅く到着する信号インスタンスの間の時間差である、システムの遅延拡散によって決まる。
【００３６】
各ＳＩＳＯチャネルは、そのＳＩＳＯチャネルのための送信アンテナと受信アンテナの間の１つまたは複数の伝搬路を含む場合があり、その伝搬路は無線環境によって決定される。各パスは、特定の複合利得および特定の遅延に関連付けられる場合がある。ＳＩＳＯチャネル毎に、Ｌ個のチャネルタップの複合利得が、そのＳＩＳＯチャネルのためのパスの複合利得によって決定される。各ＳＩＳＯチャネルは、よって、パスｄ０からｄＬ−１を有するチャネルプロファイルを有し、ただし、各パスｄｌの複合利得は、ゼロまたはゼロでない値である場合がある。
【００３７】
巡回遅延ダイバーシティ（ＣＤＤ）は、誤り率性能を向上させる場合のある、ＭＩＭＯ伝送における周波数ダイバーシティを作成するために使用される場合がある。下記のように、巡回遅延ダイバーシティでは、送信アンテナ毎のＯＦＤＭシンボルが、異なる量で巡回遅延される場合がある。Ｍ個の異なる巡回遅延された信号は、Ｍ個の送信アンテナから送信される場合がある。しかし、巡回遅延ダイバーシティは、場合によっては、ＭＩＭＯチャネル推定に悪影響を与える場合がある。特に、巡回遅延された信号がチャネルプロファイル内のパス遅延に一致する場合、パスを分離することが可能でない場合がある。例えば、所与の受信アンテナについて、２つのサンプルの遅延についての複合利得が、（ｉ）巡回遅延のない送信アンテナ０からの、２つのサンプルの遅延を有するパスを介して受信されたダウンリンク信号からのものであるか、（ｉｉ）１つのサンプルの巡回遅延を有する送信アンテナ１からの、１つのサンプルの遅延を有するパスを介して受信されたダウンリンク信号からのものであるか、（ｉｉｉ）２つのサンプルの巡回遅延を有する送信アンテナ２からの、遅延のないパスを介して受信されたダウンリンク信号からのものであるかを決定することが、可能でない場合がある。
【００３８】
チャネルプロファイルがパスｄ０からｄＬ−１を有する場合、かつ、Ｍ個の送信アンテナからのＭ個のダウンリンク信号がｔ０からｔＭ−１の巡回遅延を有する場合、各ＳＩＳＯチャネルのＬ個のチャネルタップは、（ｄｌ＋ｔｍ）ｍｏｄ  ＴＳが添え字ｌおよびｍのすべての値について異なる場合、あいまい性なしに決定することができ、ただし、ｌ＝０，．．．，Ｌ−１であり、ｍ＝０，．．．，Ｍ−１であり、ＴＳは、有用部の持続時間であり、ＮＦＦＴ個のサンプルに等しく、「ｍｏｄ」はモジュロ演算を示す。この条件は、完全な周波数再利用のために適用可能である。
【００３９】
ある実施形態では、各送信アンテナ（巡回遅延がゼロである、１つの送信アンテナを除く）の巡回遅延ｔｍは、システム内の最大期待遅延拡散以上であるように選択される場合がある。サイクリックプレフィックス長ＮＣＰは、Ｌ≦ＮＣＰとなるように、システム内の最大期待遅延拡散以上となるように選択される場合がある。よって、ある実施形態では、各送信アンテナの巡回遅延は、以下のように選択される場合がある。
【数１】
0005579626.tif 000002
【００４０】
ただし、ＮＣ，０≧０、かつ、ＮＣ，ｉ≧ＮＣＰ  ∀ｉ≧１である。
【００４１】
図５は、ｉ＝１，．．．，Ｍ−１について、ＮＣ，０＝０、かつ、ＮＣ，ｉ＝ＮＣＰであり、Ｍ＝４個の送信アンテナであるとき、式（１）の１つの例示的場合についての巡回遅延ダイバーシティを示す。送信アンテナ０は、巡回遅延が０であり、有用部は、この送信アンテナではゼロサンプル分だけ巡回シフト／遅延される。送信アンテナ１は、ＮＣＰの巡回遅延を有し、有用部は、この送信アンテナではＮＣＰ個のサンプル分だけ巡回シフトされる。送信アンテナ２は、２・ＮＣＰの巡回遅延を有し、有用部は、この送信アンテナでは２・ＮＣＰ個のサンプル分だけ巡回シフトされる。送信アンテナ３は、３・ＮＣＰの巡回遅延を有し、有用部は、この送信アンテナでは３・ＮＣＰ個のサンプル分だけ巡回シフトされる。
【００４２】
式（１）に従って、Ｍ個の送信アンテナの巡回遅延は、以下のように選択される場合がある。
【数２】
0005579626.tif 000003
【００４３】
ただし、ｔＭ−１≦ＮＦＦＴ−ＮＣＰである。
【００４４】
式（２）における設計は、ｌおよびｍのすべての値について、ｄｌ＋ｔｍが異なることを保証する。すべてのＭ個の送信アンテナからのすべてのＬ個のパスについてのチャネル推定（完全チャネル推定と呼ばれる）は、次いで、あいまい性なしに可能となる場合がある。Ｍ個の送信アンテナの巡回遅延が標準化されるか、または、既知でアプリオリである場合、巡回遅延のためのシグナリングを明示的に送信する必要はない。
【００４５】
基地局１０４は、加入者局１０６による完全チャネル推定を容易にする方法で、Ｍ個の送信アンテナからパイロットシンボルを送信する場合がある。パイロットシンボルは、Ｓ個のサブキャリアｋ０からｋＳ−１において送信される場合があり、ただし、一般に、Ｓ≦ＮＦＦＴである。Ｓ個のパイロットサブキャリアは、下記のように決定される場合がある。
【数３】
0005579626.tif 000004
【００４６】
個の係数のセットは、以下のように定義される場合がある。
【数４】
0005579626.tif 000005
【００４７】
ただし、ｍ＝０，．．．，Ｍ−１について、ｌ＝０，．．．，ＮＣ，ｍ−１であり、かつ、ＮＣ，ｍ≧ＮＣＰであり、ｑ＝ｌ・Ｍ＋ｍ＝０，．．．，Ｑ−１であり、かつ、ｂｑは、このセットにおけるｑ番目の係数である。Ｌ≦ＮＣＰであるので、ＮＣＰ個未満のチャネルタップがある場合がある。しきい値化は、存在しないチャネルタップをゼロに設定するために使用される場合がある。
【００４８】
Ｓ×Ｑ行列Ｂは、以下のように、Ｓ個のパイロットサブキャリアについて定義される場合がある。
【数５】
0005579626.tif 000006
【００４９】
ただし、
【数６】
0005579626.tif 000007
【００５０】
は、行列Ｂのｉ番目の行およびＱ番目の列における要素であり、ｉ＝０，．．．，Ｓ−１であり、ｑ＝０，．．．，Ｑ−１である。
【００５１】
完全チャネル推定のための十分条件は、行列Ｂの階数がＬ・Ｍに等しいことである。これは、ｂｑが異なるという必要条件に通じ、ｄｌ＋ｔｍが最大でＴＳを法として異なるべきであることを意味する。
【００５２】
このシステムは、完全な周波数再利用で動作する場合があり、各セルは、すべてのＮＦＦＴ個の全サブキャリア（ガードサブキャリアを除く）において送信する場合がある。完全な周波数再利用では、パイロットシンボルは、伝送のために使用可能な各サブキャリアにおいて送信される場合があり、すなわち、Ｓ＝ＮＦＦＴであり、行列Ｂは、以下の形式を有するＳ×Ｓバンデルモンド行列Ｖである場合がある。
【数７】
0005579626.tif 000008
【００５３】
完全な周波数再利用では、異なるｂｑの必要条件は、完全チャネル推定を可能にするために十分である。いくつかのサブキャリアがガードのために予約されるが、他のすべてのサブキャリアが使用され、Ｑ個を超えるそのようなサブキャリアがある場合であっても、行列Ｖは最大階数となる。
【００５４】
このシステムは、部分的な周波数再利用で動作する場合があり、各セルは、ＮＦＦＴ個の全サブキャリアのサブセットにおいて送信する場合がある。例えば、部分的周波数再利用係数が３であれば、各セルは、ＮＦＦＴ個の全サブキャリアの約３分の１において送信する場合がある。部分的な周波数再利用では、パイロットシンボルは、ＮＦＦＴ個の全サブキャリアのサブセットにおいて送信される場合があり、行列Ｂは、バンデルモンド行列の部分行列Ｖである場合があり、異なるｂｑの必要条件は、十分ではない場合がある。しかし、Ｓ個のパイロットサブキャリアｋ０からｋＳ−１は、この必要条件が完全チャネル推定のために十分となるように、選択される場合がある。
【００５５】
ある実施形態では、Ｓ個のパイロットサブキャリアは、ｐ個のサブキャリア分だけ間隔が離れている場合があり、ただし、ｐは、ＮＦＦＴを割り切れない素数である。パイロットサブキャリアは、以下のように選択される場合がある。
【数８】
0005579626.tif 000009
【００５６】
ただし、ｋｉは、ｉ番目のパイロットサブキャリア
【数９】
0005579626.tif 000010
【００５７】
の添え字であり、
【数１０】
0005579626.tif 000011
【００５８】
は、フロア演算子を示す。
【００５９】
図６は、式（６）に示す設計について、１つのＯＦＤＭシンボルｎのための一例のパイロットサブキャリア構造を示す。この例では、ｐ＝３であり、パイロットサブキャリアは３個のサブキャリア分だけ間隔が離れている。パイロットシンボルは、サブキャリア０、３、６などにおいて送信される場合がある。図６に示すように、パイロットサブキャリアの同じセットは、Ｍ個の送信アンテナの各々のために使用されてもよい。パイロットサブキャリアを有するＯＦＤＭシンボルは、図２に示すプリアンブル、または、ある他のＯＦＤＭシンボルのためのものである場合がある。
【００６０】
式（６）に示す設計では、行列Ｂは、ｑ＝０，．．．，Ｑ−１について、要素
【数１１】
0005579626.tif 000012
【００６１】
により、かつ、すべてが
【数１２】
0005579626.tif 000013
【００６２】
個の要素の各々とは異なるいずれかの要素により形成されたＱ番目からＳ番目の列のための要素により形成された、Ｓ×Ｓバンデルモンド行列の最初のＱ個の列と同じである。完全チャネル推定は、次いで、以下の条件により可能となる場合がある。
【００６３】
１．ｐ・（ｄｌ＋ｔｍ）ｍｏｄ  ＮＦＦＴは、ｌおよびｍのすべての値について異なるべきであり、かつ
２．行列Ｂの行の数Ｓは、行列Ｂの列の数Ｑ以上、すなわち、Ｓ≧Ｑであるべきである。
【００６４】
上記の２つの条件は、サイクリックプレフィックス長Ｌにかかわらず、ｐがＮＦＦＴを割り切れない素数であり、かつ、ＮＦＦＴ／ｐ≧Ｑである場合、満たされる可能性がある。しかし、ＮＣＰの最大値（ＮＣＰ，ｍａｘ）は、サブキャリアの総数（ＮＦＦＴ）、送信アンテナの数（Ｍ）、および、パイロットサブキャリア間隔（ｐ）によって、以下のように制限される場合がある。
【数１３】
0005579626.tif 000014
【００６５】
例えば、Ｍ＝２、ＮＦＦＴ＝１０２４、かつｐ＝３の場合では、ＮＣＰ，ｍａｘ＝１７０である。この例では、１２８のサイクリックプレフィックス長が選択される場合がある。別の例として、Ｍ＝２、ＮＦＦＴ＝１０２４、かつｐ＝３の場合では、ＮＣＰ，ｍａｘ＝８５である。この例では、６４のサイクリックプレフィックス長が選択される場合がある。さらにもう１つの例として、より低い再利用係数について、Ｍ＝２、ＮＦＦＴ＝１０２４、かつｐ＝５の場合では、ＮＣＰ，ｍａｘ＝１０２である。この例では、６４のサイクリックプレフィックス長が選択される場合がある。
【００６６】
パイロットサブキャリア間隔は、以下のように、Ｍ個の送信アンテナおよびサブキャリアの総数ＮＦＦＴにおいて適用された巡回遅延の長さに基づいて、選択される場合がある。
【数１４】
0005579626.tif 000015
【００６７】
図７は、図３の基地局１０４における変調器３３２ａから３３２ｍの設計のブロック図を示す。簡単にするために、図７は、Ｍ個の送信アンテナのためのパイロットを生成するための処理のみを示す。送信アンテナ０のための変調器３３２ａ内では、シンボル−サブキャリアマッパ７１０ａは、パイロットシンボルをパイロットサブキャリアにマップし（例えば、式（６）に示すように決定される）、ゼロシンボルを残りのサブキャリアにマップする。ＩＤＦＴユニット７１２ａは、ＮＦＦＴ個のパイロットおよびゼロシンボルにおいてＮＦＦＴ点のＩＤＦＴを行い、ＮＦＦＴ個の時間領域サンプルを提供する。Ｐ／Ｓコンバータ７１４ａは、ＮＦＦＴ個のサンプルを直列化する。ある実施形態では、巡回遅延ユニット７１６ａは、送信アンテナ０では、ＮＦＦＴ個のサンプルをＮＣ，０個のサンプル分だけ巡回シフトする。サイクリックプレフィックスジェネレータ７１８ａは、サイクリックプレフィックスを付加し、送信アンテナ０のための第１のパイロットを備えるＯＦＤＭシンボルを提供する。
【００６８】
変調器３３２ｂは同様に、送信アンテナ１のための第２のパイロットを備えるＯＦＤＭシンボルを生成する場合がある。しかし、巡回遅延ユニット７１６ｂは、送信アンテナ１では、ＮＦＦＴ個のサンプルをＮＣ，０＋ＮＣ，１≧ＮＣＰ個のサンプル分だけ巡回シフトする。残りの各変調器３３２は同様に、その送信アンテナのためのパイロットを備えるＯＦＤＭシンボルを生成する場合があるが、送信アンテナｍでは、ＮＦＦＴ個のサンプルを
【数１５】
0005579626.tif 000016
【００６９】
個のサンプル分だけ巡回シフトする場合があり、ただし、ｍ＝０，１，．．．，Ｍ−１である。
【００７０】
図８は、ＭＩＳＯまたはＭＩＭＯシステムのためのパイロットを生成するための処理８００の設計を示す。処理８００は、ダウンリンク上でのパイロット伝送のために、基地局１０４によって、アップリンク上でのパイロット伝送のために、加入者局１０６によって、または、ある他のエンティティによって、行われる場合がある。
【００７１】
８１０で、第１の送信アンテナのための第１のパイロットは、例えば、ゼロサンプルの第１の巡回遅延に基づいて生成される場合がある。８２０で、ｍ番目のパイロットシーケンスは、（ｍ−１）番目の巡回遅延の長さより少なくともサイクリックプレフィックス長ＮＣＰだけ長く、ただし、ｍ＞１である長さの、ｍ番目の巡回遅延に基づいて、ｍ番目の送信アンテナのために生成される場合がある。ある実施形態では、各送信アンテナの巡回遅延は、式（１）によって示すように与えられ、ただし、ＮＣ，０＝０かつＮＣ，ｍ＝ｍ・ＮＣＰ、∀ｍ＝１，．．．，Ｍ−１である。追加の送信アンテナのための追加のパイロットは、適切な巡回遅延に基づいて生成されてもよい。
【００７２】
８１０で、第１のパイロットを備える第１のサンプルシーケンスが生成され、第１の巡回遅延の分だけ巡回遅延される場合がある。第１のパイロットを備え、第１の巡回遅延を有する第１のＯＦＤＭシンボルは、巡回遅延された第１のサンプルシーケンスに基づいて生成される場合がある。８２０で、ｍ番目のパイロットを備えるｍ番目のサンプルシーケンスが生成され、ｍ番目の巡回遅延の分だけ巡回遅延される場合があり、ただし、ｍ＞１である。ｍ番目のパイロットを備え、ｍ番目の巡回遅延を有するｍ番目のＯＦＤＭシンボルは、巡回遅延されたｍ番目のサンプルシーケンスに基づいて生成される場合があり、ただし、ｍ＞１である。第１のＯＦＤＭシンボルでは、パイロットシンボルは、ｐだけ間隔が離れたサブキャリアにマップされる場合があり、ただし、ｐは、ＮＦＦＴを割り切れない素数である場合がある。ｍ番目のＯＦＤＭシンボルでは、パイロットシンボルは、ｐだけ間隔が離れたサブキャリアにマップされる場合があり、ただし、ｍ＞１である。パイロットサブキャリアの同じセットは、すべてのＯＦＤＭシンボルのために使用されてもよい。パイロットサブキャリアの数（Ｓ）は、Ｍ・ＮＣＰ以上である場合がある。パイロットサブキャリア間隔（ｐ）は、式（８）に示すように選択される場合がある。
【００７３】
加入者局１０６は、基地局１０４と加入者局１０６の間のＭＩＭＯチャネル内のＭ・Ｒ個のＳＩＳＯチャネルの各々について、チャネル推定値を導出する場合がある。各受信アンテナについて、加入者局１０６は、Ｓ個のパイロットサブキャリアからＳ個の受信パイロットシンボルを得る場合があり、パイロット変調を除去して、Ｓ個のパイロットサブキャリアについてのＳ個の観測結果を得る場合がある。各受信アンテナｊについてのＳ個の観測結果は、以下のように表わされる場合がある。
【数１６】
0005579626.tif 000017
【００７４】
ただし、ｙｊは、受信アンテナｊにおけるＳ個のパイロットサブキャリアについての観測結果のＳ×１ベクトルであり、Ｂは、式（４）で定義されたＳ×Ｑ行列であり、ｈｊは、Ｍ個の送信アンテナのチャネル利得のＱ×１ベクトルであり、ｎは、Ｓ×１雑音ベクトルである。
【００７５】
ベクトルｈｊは、
【数１７】
0005579626.tif 000018
【００７６】
個の要素ｈｊ，０からｈｊ，Ｑ−１を含む。第１のＮＣ，０≧ＮＣＰ個の要素ｈｊ，０から
【数１８】
0005579626.tif 000019
【００７７】
は、送信アンテナ０のチャネル利得であり、次のＮＣ，１≧ＮＣＰ個の要素
【数１９】
0005579626.tif 000020
【００７８】
から
【数２０】
0005579626.tif 000021
【００７９】
は、送信アンテナ１のチャネル利得である、などとなり、最後のＮＣ，Ｍ−１≧ＮＣＰ個の要素
【数２１】
0005579626.tif 000022
【００８０】
からｈｊ，Ｑ−１は、送信アンテナＭ−１のチャネル利得である。ｈｊの推定値は、様々な技術に基づいて、ｙｊから得られる場合がある。１つの設計では、ｈｊの推定値は、以下のように、最小平均２乗誤差（ＭＭＳＥ）技術などに基づいて、ｙｊから得られる場合がある。
【数２２】
0005579626.tif 000023
【００８１】
ただし、
【数２３】
0005579626.tif 000024
【００８２】
であり、かつ
【数２４】
0005579626.tif 000025
【００８３】
は、ｈｊの推定値である。
【００８４】
同じ処理は、Ｍ個の送信アンテナとその受信アンテナの間のＭ個のＳＩＳＯチャネルについての、Ｍ個のチャネル推定値を得るために、各受信アンテナについて行われる場合がある。
【００８５】
図９は、チャネル推定器９００の設計のブロック図を示す。チャネル推定器９００内で、Ｒ個のユニット９１０ａから９１０ｒは、Ｓ個のパイロットサブキャリアのためのＳ個の受信パイロットシンボルを、それぞれＲ個の受信アンテナ０からＲ−１から得る。各ユニット９１０は、その受信アンテナからのＳ個の受信パイロットシンボルにおけるパイロット変調を除去し、Ｓ個の観測結果を提供する。パイロット変調除去は、各受信パイロットシンボルに送信パイロットシンボルの複素共役を掛けることによって、達成される場合がある。Ｒ個のチャネル推定器９１２ａから９１２ｒは、Ｓ個の観測結果をユニット９１０ａから９１０ｒからそれぞれ受信する。各チャネル推定器９１２は、例えば、式（１０）に示すように、その受信アンテナｊについての推定値ｈｊを導出し、
【数２５】
0005579626.tif 000026
【００８６】
を提供する。Ｒ個の逆多重化装置（Ｄｅｍｕｘ）９１４ａから９１４ｒは、
【数２６】
0005579626.tif 000027
【００８７】
を、チャネル推定器９１２ａから９１２ｒからそれぞれ受信する。各逆多重化装置９１４は、
【数２７】
0005579626.tif 000028
【００８８】
におけるチャネル利得を逆多重化し、Ｍ個の送信アンテナについてのＭ個のチャネル推定値を提供する。
【００８９】
図１０は、ＭＩＳＯまたはＭＩＭＯシステムのためのチャネル推定を行うための処理１０００の設計を示す。処理１０００は、ダウンリンクチャネル推定のために加入者局１０６によって、アップリンクチャネル推定のために基地局１０４によって、または、ある他のエンティティによって、行われる場合がある。１０１０で、Ｍ個の巡回遅延されたパイロットシーケンスは、Ｍ個の送信アンテナから送信される場合があり、ただし、ｍ番目のパイロットシーケンスは、（ｍ−１）番目の巡回遅延の長さより少なくともサイクリックプレフィックス長ＮＣＰだけ長い長さの、ｍ番目の巡回遅延（ｍ＝１，．．．，Ｍ）に基づいて、巡回遅延される。
【００９０】
１０２０で、受信サンプルは、Ｍ個の利用された送信アンテナのチャネル利得の推定値を得るために、すべてのＲ個の受信アンテナについて処理される場合がある。一般に、受信サンプルは、いかなる数の受信アンテナから得られる場合もあり、各受信アンテナについて、いかなる数の送信アンテナについてのチャネル推定値を得るために処理される場合もある。１０２０で、例えば、（ｉ）受信サンプルにおいてＯＦＤＭ復調を行い、パイロットサブキャリアのための受信パイロットシンボルを得ること、および、（ｉｉ）受信パイロットシンボルからパイロット変調を除去して、パイロットサブキャリアについての観測結果を得ることによって、受信サンプルは、パイロットサブキャリアについての観測結果を得るために処理される場合がある。観測結果は、すべての利用された送信アンテナについてのチャネル推定値を得るために、（例えば、式（１０）に示すように、ＭＭＳＥ技術に基づいて）処理される場合がある。
【００９１】
上記の方法の様々な動作は、図面に示すミーンズプラスファンクションブロックに対応する、様々なハードウェアおよび／またはソフトウェアコンポーネント（複数可）および／またはモジュール（複数可）によって行われる場合がある。例えば、図８に示すブロック８１０〜８２０は、図８Ａに示すミーンズプラスファンクションブロック８１０Ａ〜８２０Ａに対応する。同様に、図１０に示すブロック１０１０〜１０２０は、図１０Ａに示すミーンズプラスファンクションブロック１０１０Ａ〜１０２０Ａに対応する。より一般には、対応して対をなすミーンズプラスファンクション図を有する図に示された方法がある場合には、動作ブロックは、同様に付番されたミーンズプラスファンクションブロックに対応する。
【００９２】
本開示に関連して記載された様々な例示的論理ブロック、モジュールおよび回路は、本明細書に記載された機能を行うように設計された汎用プロセッサ、ディジタル信号プロセッサ（ＤＳＰ）、特定用途向け集積回路（ＡＳＩＣ）、フィールドプログラマブルゲートアレー信号（ＦＰＧＡ）もしくは他のプログラマブルロジックデバイス（ＰＬＤ）、ディスクリートゲートもしくはトランジスタロジック、ディスクリートハードウェアコンポーネント、または、それらのいかなる組合せによって実装または行われてもよい。汎用プロセッサは、マイクロプロセッサである場合があるが、別法として、プロセッサは、いかなる市販のプロセッサ、コントローラ、マイクロコントローラ、または、ステートマシンであってもよい。プロセッサはまた、例えば、ＤＳＰおよびマイクロプロセッサの組合せ、複数のマイクロプロセッサ、ＤＳＰコアを伴う１つまたは複数のマイクロプロセッサ、または、他のいかなるこのような構成など、計算デバイスの組合せとして実装されてもよい。
【００９３】
本開示に関連して記載された方法またはアルゴリズムのステップは、ハードウェアにおいて直接、プロセッサによって実行されるソフトウェアモジュールにおいて、または、これら２つの組合せにおいて実施されてもよい。ソフトウェアモジュールは、当技術分野で知られているいかなる形式の記憶媒体内に存在してもよい。使用される場合のある記憶媒体のいくつかの例には、ランダムアクセスメモリ（ＲＡＭ）、読み出し専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどが含まれる。ソフトウェアモジュールは、単一の命令または多数の命令を備えてもよく、いくつかの異なるコードセグメントに渡って、異なるプログラムの間で、複数の記憶媒体に渡って分散されてもよい。記憶媒体は、プロセッサが記憶媒体から情報を読み取り、記憶媒体に情報を書き込むことができるように、プロセッサに結合されてもよい。別法として、記憶媒体は、プロセッサに一体化されてもよい。
【００９４】
本明細書で開示された方法は、記載された方法を達成するための１つまたは複数のステップまたは動作を備える。方法ステップおよび／または動作は、特許請求の範囲から逸脱することなく、互いに入れ替え可能であってもよい。つまり、ステップまたは動作の具体的な順序が特定されない限り、具体的なステップおよび／または動作の順序および／または使用は、特許請求の範囲から逸脱することなく修正されてもよい。
【００９５】
記載された機能は、ハードウェア、ソフトウェア、ファームウェア、または、それらのいかなる組合せにおいて実装されてもよい。ソフトウェアにおいて実装される場合、これらの機能は、コンピュータ可読媒体上に１つまたは複数の命令として格納されてもよい。記憶媒体は、コンピュータによってアクセスすることができる、いかなる使用可能な媒体であってもよい。例として、限定ではなく、このようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶装置、または、命令もしくはデータ構造の形式で所望のプログラムコードを搬送または格納するために使用することができ、かつ、コンピュータによってアクセスすることができる、他のいかなる媒体をも備えることができる。本明細書で使用されるとき、ディスク（Ｄｉｓｋ）およびディスク（ｄｉｓｃ）には、コンパクトディスク（ＣＤ）、レーザディスク、光ディスク、ディジタル多用途ディスク（ＤＶＤ）、フロッピー（登録商標）ディスク、および、ブルーレイ（登録商標）ディスクが含まれ、ただし、ディスク（ｄｉｓｋ）は通常、磁気的にデータを再生するが、ディスク（ｄｉｓｃ）は、レーザにより光学的にデータを再生する。
【００９６】
ソフトウェアまたは命令はまた、伝送媒体を介して伝送されてもよい。例えば、同軸ケーブル、光ファイバケーブル、ツイストペア、ディジタル加入者線（ＤＳＬ）、または、赤外線、無線およびマイクロ波など、無線技術を使用して、ウェブサイト、サーバ、または他のリモートソースから、ソフトウェアが伝送される場合、同軸ケーブル、光ファイバケーブル、ツイストペア、ＤＳＬ、または、赤外線、無線およびマイクロ波など、無線技術は、媒体の定義に含まれる。
【００９７】
さらに、本明細書に記載された方法および技術を行うためのモジュールおよび／または他の適切な手段を、適切にユーザ端末および／または基地局によって、ダウンロードかつ／またはその他の方法で入手できることを理解されたい。例えば、本明細書に記載された方法を行うための手段の転送を容易にするために、このようなデバイスをサーバに結合することができる。別法として、本明細書に記載された様々な方法を、記憶手段（例えば、ＲＡＭ、ＲＯＭ、コンパクトディスク（ＣＤ）またはフロッピー（登録商標）ディスクその他などの物理記憶媒体）を介して提供し、記憶手段をデバイスに結合または提供すると、ユーザ端末および／または基地局が様々な方法を入手可能となるようにすることができる。また、本明細書に記載された方法および技術をデバイスに提供するための、他のいかなる適切な技術も利用することができる。
【００９８】
特許請求の範囲は、上記で例示された正確な構成およびコンポーネントに限定されないことを理解されたい。特許請求の範囲から逸脱することなく、上記の方法および装置の配置、動作および詳細において、様々な修正、変更および変形形態がなされてもよい。
［付記１］
無線通信システムにおいてパイロットを伝送する方法であって、
第１の送信アンテナのための第１のパイロットを、第１の巡回遅延に基づいて生成すること、および
第２の送信アンテナのための第２のパイロットを、前記第１の巡回遅延より少なくともサイクリックプレフィックス長だけ長い第２の巡回遅延に基づいて生成することを備える方法。
［付記２］
第３の送信アンテナのための第３のパイロットを、前記第２の巡回遅延より少なくとも前記サイクリックプレフィックス長だけ長い第３の巡回遅延に基づいて生成することをさらに備える、付記１に記載の方法。
［付記３］
各送信アンテナの前記巡回遅延は、
【数２８】
0005579626.tif 000029
ただし、ＮＣ，０≧０であり、ＮＣ，ｉ≧ＮＣＰ  ∀ｉ≧１であり、ＮＣＰは、前記サイクリックプレフィックス長であり、ｍは、送信アンテナ添え字であり、ｔｍは、送信アンテナｍの前記巡回遅延であり、ｍ＝０，１，．．．，Ｍ−１である、付記１に記載の方法。
［付記４］
前記第１の巡回遅延はゼロであり、前記第２の巡回遅延は、前記サイクリックプレフィックス長以上である、付記１に記載の方法。
［付記５］
前記第１および第２の巡回遅延はシグナリングによって送信されない、付記１に記載の方法。
［付記６］
前記第１のパイロットを生成することは、
前記第１のパイロットを備える第１のサンプルシーケンスを生成すること、および
前記第１のサンプルシーケンスを、前記第１の巡回遅延の分だけ巡回遅延させることを備え、
前記第２のパイロットを生成することは、前記第２のパイロットを備える第２のサンプルシーケンスを生成すること、および、前記第２のサンプルシーケンスを、前記第２の巡回遅延の分だけ巡回遅延させることを備える、付記１に記載の方法。
［付記７］
前記第１のパイロットを生成することは、前記第１のパイロットを備え、かつ、前記第１の巡回遅延を有する、第１のＯＦＤＭシンボルを生成することを備え、前記第２のパイロットを生成することは、前記第２のパイロットを備え、かつ、前記第２の巡回遅延を有する、第２のＯＦＤＭシンボルを生成することを備える、付記１に記載の方法。
［付記８］
前記第１のＯＦＤＭシンボルを生成することは、パイロットシンボルを、ｐだけ間隔が離れたサブキャリアにマップすることを備え、ただし、ｐは、ＮＦＦＴを割り切れない素数であり、ＮＦＦＴは、前記第１のＯＦＤＭシンボルのためのＦＦＴサイズである、付記６に記載の方法。
［付記９］
前記第２のＯＦＤＭシンボルを生成することは、パイロットシンボルを、ｐだけ間隔が離れたサブキャリアにマップすることを備える、付記７に記載の方法。
［付記１０］
パイロットシンボルは、前記第１および第２のＯＦＤＭシンボルの両方のためのサブキャリアの同じセットにマップされる、付記８に記載の方法。
［付記１１］
【数２９】
0005579626.tif 000030
であり、ただし、Ｓは、パイロットシンボルを有するサブキャリアの数であり、Ｍは、送信アンテナの数であり、
【数３０】
0005579626.tif 000031
は、ｍ＝０，．．．，Ｍ−１について、送信アンテナｍの巡回遅延の長さである、付記７に記載の方法。
［付記１２］
【数３１】
0005579626.tif 000032
であり、ただし、Ｍは、送信アンテナの数であり、
【数３２】
0005579626.tif 000033
は、ｍ＝０，．．．，Ｍ−１について、送信アンテナｍの巡回遅延の長さである、付記７に記載の方法。
［付記１３］
無線通信システムにおいてチャネル推定を行う方法であって、
第１および第２のパイロットを備える第１の入力サンプルを得ることであって、前記第１のパイロットは、第１の巡回遅延に基づいて生成され、第１の送信アンテナから送信され、前記第２のパイロットは、第２の巡回遅延に基づいて生成され、第２の送信アンテナから送信され、前記第２の巡回遅延は、前記第１の巡回遅延より少なくともサイクリックプレフィックス長だけ長く、前記第１の入力サンプルは、第１の受信アンテナからのものであること、および
前記第１の入力サンプルを処理して、前記第１の送信アンテナについての第１のチャネル推定値、および、前記第２の送信アンテナについての第２のチャネル推定値を得ることを備える方法。
［付記１４］
前記第１および第２のパイロットを備える第２の入力サンプルを得ることであって、前記第２の入力サンプルは、第２の受信アンテナからのものであること、および
前記第２の入力サンプルを処理して、前記第１の送信アンテナについての第３のチャネル推定値、および、前記第２の送信アンテナについての第４のチャネル推定値を得ることをさらに備える、付記１３に記載の方法。
［付記１５］
前記第１の入力サンプルを処理することは、
前記第１の入力サンプルを処理して、パイロットサブキャリアについての観測結果を得ること、および
前記観測結果を処理して、前記第１および第２のチャネル推定値を得ることを備える、付記１３に記載の方法。
［付記１６］
前記第１の入力サンプルを処理して観測結果を得ることは、
前記第１の入力サンプルにおいてＯＦＤＭ復調を行い、前記パイロットサブキャリアのための受信パイロットシンボルを得ること、および
前記受信パイロットシンボルからパイロット変調を除去して、前記パイロットサブキャリアについての前記観測結果を得ることを備える、付記１５に記載の方法。
［付記１７］
前記観測結果を処理することは、最小平均２乗誤差（ＭＭＳＥ）技術に基づいて、前記観測結果を処理して、前記第１および第２のチャネル推定値を得ることを備える、付記１５に記載の方法。
［付記１８］
前記パイロットサブキャリアは、ｐだけ間隔が離れており、ただし、ｐは、ＮＦＦＴを割り切れない素数であり、ＮＦＦＴは、ＯＦＤＭシンボルのためのＦＦＴサイズである、付記１５に記載の方法。
［付記１９］
前記第２の入力サンプルを処理することは、
前記第２の入力サンプルを処理して、パイロットサブキャリアについての観測結果を得ること、および
前記観測結果を処理して、前記第３および第４のチャネル推定値を得ることを備える、付記１４に記載の方法。
［付記２０］
前記第２の入力サンプルを処理して観測結果を得ることは、
前記第２の入力サンプルにおいてＯＦＤＭ復調を行い、前記パイロットサブキャリアのための受信パイロットシンボルを得ること、および
前記受信パイロットシンボルからパイロット変調を除去して、前記パイロットサブキャリアについての前記観測結果を得ることを備える、付記１９に記載の方法。
［付記２１］
前記観測結果を処理することは、最小平均２乗誤差（ＭＭＳＥ）技術に基づいて、前記観測結果を処理して、前記第３および第４のチャネル推定値を得ることを備える、付記１９に記載の方法。
［付記２２］
前記パイロットサブキャリアは、ｐだけ間隔が離れており、ただし、ｐは、ＮＦＦＴを割り切れない素数であり、ＮＦＦＴは、ＯＦＤＭシンボルのためのＦＦＴサイズである、付記１９に記載の方法。
［付記２３］
無線通信システムにおいてパイロットを伝送するための装置であって、
第１の送信アンテナのための第１のパイロットを、第１の巡回遅延に基づいて生成するためのロジック、および
第２の送信アンテナのための第２のパイロットを、前記第１の巡回遅延より少なくともサイクリックプレフィックス長だけ長い第２の巡回遅延に基づいて生成するためのロジックを備える装置。
［付記２４］
第３の送信アンテナのための第３のパイロットを、前記第２の巡回遅延より少なくとも前記サイクリックプレフィックス長だけ長い第３の巡回遅延に基づいて生成するためのロジックをさらに備える、付記２３に記載の装置。
［付記２５］
各送信アンテナの前記巡回遅延は、
【数３３】
0005579626.tif 000034
ただし、ＮＣ，０≧０であり、ＮＣ，ｉ≧ＮＣＰ  ∀ｉ≧１であり、ＮＣＰは、前記サイクリックプレフィックス長であり、ｍは、送信アンテナ添え字であり、ｔｍは、送信アンテナｍの前記巡回遅延であり、ｍ＝０，１，．．．，Ｍ−１である、付記２３に記載の装置。
［付記２６］
前記第１の巡回遅延はゼロであり、前記第２の巡回遅延は、前記サイクリックプレフィックス長以上である、付記２３に記載の装置。
［付記２７］
前記第１および第２の巡回遅延はシグナリングによって送信されない、付記２３に記載の装置。
［付記２８］
前記第１のパイロットを生成するための前記ロジックは、
前記第１のパイロットを備える第１のサンプルシーケンスを生成するためのロジック、および
前記第１のサンプルシーケンスを、前記第１の巡回遅延の分だけ巡回遅延させるためのロジックを備え、
前記第２のパイロットを生成するための前記ロジックは、前記第２のパイロットを備える第２のサンプルシーケンスを生成するためのロジック、および、前記第２のサンプルシーケンスを、前記第２の巡回遅延の分だけ巡回遅延させるためのロジックを備える、付記２３に記載の装置。
［付記２９］
前記第１のパイロットを生成するための前記ロジックは、前記第１のパイロットを備え、かつ、前記第１の巡回遅延を有する、第１のＯＦＤＭシンボルを生成するためのロジックを備え、前記第２のパイロットを生成するための前記ロジックは、前記第２のパイロットを備え、かつ、前記第２の巡回遅延を有する、第２のＯＦＤＭシンボルを生成するためのロジックを備える、付記２３に記載の装置。
［付記３０］
前記第１のＯＦＤＭシンボルを生成するための前記ロジックは、パイロットシンボルを、ｐだけ間隔が離れたサブキャリアにマップするためのロジックを備え、ただし、ｐは、ＮＦＦＴを割り切れない素数であり、ＮＦＦＴは、前記第１のＯＦＤＭシンボルのためのＦＦＴサイズである、付記２８に記載の装置。
［付記３１］
前記第２のＯＦＤＭシンボルを生成するための前記ロジックは、パイロットシンボルを、ｐだけ間隔が離れたサブキャリアにマップするためのロジックを備える、付記２９に記載の装置。
［付記３２］
パイロットシンボルは、前記第１および第２のＯＦＤＭシンボルの両方のためのサブキャリアの同じセットにマップされる、付記３０に記載の装置。
［付記３３］
【数３４】
0005579626.tif 000035
であり、ただし、Ｓは、パイロットシンボルを有するサブキャリアの数であり、Ｍは、送信アンテナの数であり、
【数３５】
0005579626.tif 000036
は、ｍ＝０，．．．，Ｍ−１について、送信アンテナｍの巡回遅延の長さである、付記２９に記載の装置。
［付記３４］
【数３６】
0005579626.tif 000037
であり、ただし、Ｍは、送信アンテナの数であり、
【数３７】
0005579626.tif 000038
は、ｍ＝０，．．．，Ｍ−１について、送信アンテナｍの巡回遅延の長さである、付記２９に記載の装置。
［付記３５］
無線通信システムにおいてチャネル推定を行うための装置であって、
第１および第２のパイロットを備える第１の入力サンプルを得るためのロジックであって、前記第１のパイロットは、第１の巡回遅延に基づいて生成され、第１の送信アンテナから送信され、前記第２のパイロットは、第２の巡回遅延に基づいて生成され、第２の送信アンテナから送信され、前記第２の巡回遅延は、前記第１の巡回遅延より少なくともサイクリックプレフィックス長だけ長く、前記第１の入力サンプルは、第１の受信アンテナからのものであるロジック、および
前記第１の入力サンプルを処理して、前記第１の送信アンテナについての第１のチャネル推定値、および、前記第２の送信アンテナについての第２のチャネル推定値を得るためのロジックを備える装置。
［付記３６］
前記第１および第２のパイロットを備える第２の入力サンプルを得るためのロジックであって、前記第２の入力サンプルは、第２の受信アンテナからのものであるロジック、および
前記第２の入力サンプルを処理して、前記第１の送信アンテナについての第３のチャネル推定値、および、前記第２の送信アンテナについての第４のチャネル推定値を得るためのロジックをさらに備える、付記３５に記載の装置。
［付記３７］
前記第１の入力サンプルを処理するための前記ロジックは、
前記第１の入力サンプルを処理して、パイロットサブキャリアについての観測結果を得るためのロジック、および
前記観測結果を処理して、前記第１および第２のチャネル推定値を得るためのロジックを備える、付記３５に記載の装置。
［付記３８］
前記第１の入力サンプルを処理して観測結果を得るための前記ロジックは、
前記第１の入力サンプルにおいてＯＦＤＭ復調を行い、前記パイロットサブキャリアのための受信パイロットシンボルを得るためのロジック、および
前記受信パイロットシンボルからパイロット変調を除去して、前記パイロットサブキャリアについての前記観測結果を得るためのロジックを備える、付記３７に記載の装置。
［付記３９］
前記観測結果を処理するための前記ロジックは、最小平均２乗誤差（ＭＭＳＥ）技術に基づいて、前記観測結果を処理して、前記第１および第２のチャネル推定値を得るためのロジックを備える、付記３７に記載の装置。
［付記４０］
前記パイロットサブキャリアは、ｐだけ間隔が離れており、ただし、ｐは、ＮＦＦＴを割り切れない素数であり、ＮＦＦＴは、ＯＦＤＭシンボルのためのＦＦＴサイズである、付記３７に記載の装置。
［付記４１］
前記第２の入力サンプルを処理するための前記ロジックは、
前記第２の入力サンプルを処理して、パイロットサブキャリアについての観測結果を得るためのロジック、および
前記観測結果を処理して、前記第３および第４のチャネル推定値を得るためのロジックを備える、付記３６に記載の装置。
［付記４２］
前記第２の入力サンプルを処理して観測結果を得るための前記ロジックは、
前記第２の入力サンプルにおいてＯＦＤＭ復調を行い、前記パイロットサブキャリアのための受信パイロットシンボルを得るためのロジック、および
前記受信パイロットシンボルからパイロット変調を除去して、前記パイロットサブキャリアについての前記観測結果を得るためのロジックを備える、付記４１に記載の装置。
［付記４３］
前記観測結果を処理するための前記ロジックは、最小平均２乗誤差（ＭＭＳＥ）技術に基づいて、前記観測結果を処理して、前記第３および第４のチャネル推定値を得るためのロジックを備える、付記４１に記載の装置。
［付記４４］
前記パイロットサブキャリアは、ｐだけ間隔が離れており、ただし、ｐは、ＮＦＦＴを割り切れない素数であり、ＮＦＦＴは、ＯＦＤＭシンボルのためのＦＦＴサイズである、付記４１に記載の装置。
［付記４５］
無線通信システムにおいてパイロットを伝送するための装置であって、
第１の送信アンテナのための第１のパイロットを、第１の巡回遅延に基づいて生成するための手段、および
第２の送信アンテナのための第２のパイロットを、前記第１の巡回遅延より少なくともサイクリックプレフィックス長だけ長い第２の巡回遅延に基づいて生成するための手段を備える装置。
［付記４６］
第３の送信アンテナのための第３のパイロットを、前記第２の巡回遅延より少なくとも前記サイクリックプレフィックス長だけ長い第３の巡回遅延に基づいて生成するための手段をさらに備える、付記４５に記載の装置。
［付記４７］
各送信アンテナの前記巡回遅延は、
【数３８】
0005579626.tif 000039
ただし、ＮＣ，０≧０であり、ＮＣ，ｉ≧ＮＣＰ  ∀ｉ≧１であり、ＮＣＰは、前記サイクリックプレフィックス長であり、ｍは、送信アンテナ添え字であり、ｔｍは、送信アンテナｍの前記巡回遅延であり、ｍ＝０，１，．．．，Ｍ−１である、付記４５に記載の装置。
［付記４８］
前記第１の巡回遅延はゼロであり、前記第２の巡回遅延は、前記サイクリックプレフィックス長以上である、付記４５に記載の装置。
［付記４９］
前記第１および第２の巡回遅延はシグナリングによって送信されない、付記４５に記載の装置。
［付記５０］
前記第１のパイロットを生成するための前記ロジックは、
前記第１のパイロットを備える第１のサンプルシーケンスを生成するための手段、および
前記第１のサンプルシーケンスを、前記第１の巡回遅延の分だけ巡回遅延させるための手段を備え、
前記第２のパイロットを生成するための前記手段は、前記第２のパイロットを備える第２のサンプルシーケンスを生成するための手段、および、前記第２のサンプルシーケンスを、前記第２の巡回遅延の分だけ巡回遅延させるための手段を備える、付記４５に記載の装置。
［付記５１］
前記第１のパイロットを生成するための前記手段は、前記第１のパイロットを備え、かつ、前記第１の巡回遅延を有する、第１のＯＦＤＭシンボルを生成するための手段を備え、前記第２のパイロットを生成するための前記手段は、前記第２のパイロットを備え、かつ、前記第２の巡回遅延を有する、第２のＯＦＤＭシンボルを生成するためのロジックを備える、付記４５に記載の装置。
［付記５２］
前記第１のＯＦＤＭシンボルを生成するための前記手段は、パイロットシンボルを、ｐだけ間隔が離れたサブキャリアにマップするための手段を備え、ただし、ｐは、ＮＦＦＴを割り切れない素数であり、ＮＦＦＴは、前記第１のＯＦＤＭシンボルのためのＦＦＴサイズである、付記５０に記載の装置。
［付記５３］
前記第２のＯＦＤＭシンボルを生成するための前記手段は、パイロットシンボルを、ｐだけ間隔が離れたサブキャリアにマップするための手段を備える、付記５１に記載の装置。
［付記５４］
パイロットシンボルは、前記第１および第２のＯＦＤＭシンボルの両方のためのサブキャリアの同じセットにマップされる、付記５２に記載の装置。
［付記５５］
【数３９】
0005579626.tif 000040
であり、ただし、Ｓは、パイロットシンボルを有するサブキャリアの数であり、Ｍは、送信アンテナの数であり、
【数４０】
0005579626.tif 000041
は、ｍ＝０，．．．，Ｍ−１について、送信アンテナｍの巡回遅延の長さである、付記５１に記載の装置。
［付記５６］
【数４１】
0005579626.tif 000042
であり、ただし、Ｍは、送信アンテナの数であり、
【数４２】
0005579626.tif 000043
は、ｍ＝０，．．．，Ｍ−１について、送信アンテナｍの巡回遅延の長さである、付記５１に記載の装置。
［付記５７］
無線通信システムにおいてチャネル推定を行うための装置であって、
第１および第２のパイロットを備える第１の入力サンプルを得るための手段であって、前記第１のパイロットは、第１の巡回遅延に基づいて生成され、第１の送信アンテナから送信され、前記第２のパイロットは、第２の巡回遅延に基づいて生成され、第２の送信アンテナから送信され、前記第２の巡回遅延は、前記第１の巡回遅延より少なくともサイクリックプレフィックス長だけ長く、前記第１の入力サンプルは、第１の受信アンテナからのものである手段、および
前記第１の入力サンプルを処理して、前記第１の送信アンテナについての第１のチャネル推定値、および、前記第２の送信アンテナについての第２のチャネル推定値を得るための手段を備える装置。
［付記５８］
前記第１および第２のパイロットを備える第２の入力サンプルを得るための手段であって、前記第２の入力サンプルは、第２の受信アンテナからのものである手段、および
前記第２の入力サンプルを処理して、前記第１の送信アンテナについての第３のチャネル推定値、および、前記第２の送信アンテナについての第４のチャネル推定値を得るための手段をさらに備える、付記５７に記載の装置。
［付記５９］
前記第１の入力サンプルを処理するための前記手段は、
前記第１の入力サンプルを処理して、パイロットサブキャリアについての観測結果を得るための手段、および
前記観測結果を処理して、前記第１および第２のチャネル推定値を得るための手段を備える、付記５７に記載の装置。
［付記６０］
前記第１の入力サンプルを処理して観測結果を得るための前記手段は、
前記第１の入力サンプルにおいてＯＦＤＭ復調を行い、前記パイロットサブキャリアのための受信パイロットシンボルを得るための手段、および
前記受信パイロットシンボルからパイロット変調を除去して、前記パイロットサブキャリアについての前記観測結果を得るための手段を備える、付記５９に記載の装置。
［付記６１］
前記観測結果を処理するための前記手段は、最小平均２乗誤差（ＭＭＳＥ）技術に基づいて、前記観測結果を処理して、前記第１および第２のチャネル推定値を得るための手段を備える、付記５９に記載の装置。
［付記６２］
前記パイロットサブキャリアは、ｐだけ間隔が離れており、ただし、ｐは、ＮＦＦＴを割り切れない素数であり、ＮＦＦＴは、ＯＦＤＭシンボルのためのＦＦＴサイズである、付記５９に記載の装置。
［付記６３］
前記第２の入力サンプルを処理するための前記手段は、
前記第２の入力サンプルを処理して、パイロットサブキャリアについての観測結果を得るための手段、および
前記観測結果を処理して、前記第３および第４のチャネル推定値を得るための手段を備える、付記５８に記載の装置。
［付記６４］
前記第２の入力サンプルを処理して観測結果を得るための前記手段は、
前記第２の入力サンプルにおいてＯＦＤＭ復調を行い、前記パイロットサブキャリアのための受信パイロットシンボルを得るための手段、および
前記受信パイロットシンボルからパイロット変調を除去して、前記パイロットサブキャリアについての前記観測結果を得るための手段を備える、付記６３に記載の装置。
［付記６５］
前記観測結果を処理するための前記手段は、最小平均２乗誤差（ＭＭＳＥ）技術に基づいて、前記観測結果を処理して、前記第３および第４のチャネル推定値を得るための手段を備える、付記６３に記載の装置。
［付記６６］
前記パイロットサブキャリアは、ｐだけ間隔が離れており、ただし、ｐは、ＮＦＦＴを割り切れない素数であり、ＮＦＦＴは、ＯＦＤＭシンボルのためのＦＦＴサイズである、付記６３に記載の装置。
［付記６７］
無線通信システムにおいてパイロットを伝送するためのコンピュータプログラム製品であって、命令を格納しているコンピュータ可読媒体を備え、前記命令は１つまたは複数のプロセッサによって実行可能であり、前記命令は、
第１の送信アンテナのための第１のパイロットを、第１の巡回遅延に基づいて生成するための命令、および
第２の送信アンテナのための第２のパイロットを、前記第１の巡回遅延より少なくともサイクリックプレフィックス長だけ長い第２の巡回遅延に基づいて生成するための命令を備える、コンピュータプログラム製品。
［付記６８］
前記命令は、
第３の送信アンテナのための第３のパイロットを、前記第２の巡回遅延より少なくとも前記サイクリックプレフィックス長だけ長い第３の巡回遅延に基づいて生成するための命令をさらに備える、付記６７に記載のコンピュータプログラム製品。
［付記６９］
各送信アンテナの前記巡回遅延は、
【数４３】
0005579626.tif 000044
ただし、ＮＣ，０≧０であり、ＮＣ，ｉ≧ＮＣＰ  ∀ｉ≧１であり、ＮＣＰは、前記サイクリックプレフィックス長であり、ｍは、送信アンテナ添え字であり、ｔｍは、送信アンテナｍの前記巡回遅延であり、ｍ＝０，１，．．．，Ｍ−１である、付記６７に記載のコンピュータプログラム製品。
［付記７０］
前記第１の巡回遅延はゼロであり、前記第２の巡回遅延は、前記サイクリックプレフィックス長以上である、付記６７に記載のコンピュータプログラム製品。
［付記７１］
前記第１および第２の巡回遅延はシグナリングによって送信されない、付記６７に記載のコンピュータプログラム製品。
［付記７２］
前記第１のパイロットを生成するための前記命令は、
前記第１のパイロットを備える第１のサンプルシーケンスを生成するための命令、および
前記第１のサンプルシーケンスを、前記第１の巡回遅延の分だけ巡回遅延させるための命令を備え、
前記第２のパイロットを生成するための前記命令は、前記第２のパイロットを備える第２のサンプルシーケンスを生成するための命令、および、前記第２のサンプルシーケンスを、前記第２の巡回遅延の分だけ巡回遅延させるための命令を備える、付記６７に記載のコンピュータプログラム製品。
［付記７３］
前記第１のパイロットを生成するための前記命令は、前記第１のパイロットを備え、かつ、前記第１の巡回遅延を有する、第１のＯＦＤＭシンボルを生成するための命令を備え、前記第２のパイロットを生成するための前記命令は、前記第２のパイロットを備え、かつ、前記第２の巡回遅延を有する、第２のＯＦＤＭシンボルを生成するための命令を備える、付記６７に記載のコンピュータプログラム製品。
［付記７４］
前記第１のＯＦＤＭシンボルを生成するための前記命令は、パイロットシンボルを、ｐだけ間隔が離れたサブキャリアにマップするための命令を備え、ただし、ｐは、ＮＦＦＴを割り切れない素数であり、ＮＦＦＴは、前記第１のＯＦＤＭシンボルのためのＦＦＴサイズである、付記７２に記載のコンピュータプログラム製品。
［付記７５］
前記第２のＯＦＤＭシンボルを生成するための前記命令は、パイロットシンボルを、ｐだけ間隔が離れたサブキャリアにマップするための命令を備える、付記７３に記載のコンピュータプログラム製品。
［付記７６］
パイロットシンボルは、前記第１および第２のＯＦＤＭシンボルの両方のためのサブキャリアの同じセットにマップされる、付記７４に記載のコンピュータプログラム製品。
［付記７７］
【数４４】
0005579626.tif 000045
であり、ただし、Ｓは、パイロットシンボルを有するサブキャリアの数であり、Ｍは、送信アンテナの数であり、
【数４５】
0005579626.tif 000046
は、ｍ＝０，．．．，Ｍ−１について、送信アンテナｍの巡回遅延の長さである、付記７３に記載のコンピュータプログラム製品。
［付記７８］
【数４６】
0005579626.tif 000047
であり、ただし、Ｍは、送信アンテナの数であり、
【数４７】
0005579626.tif 000048
は、ｍ＝０，．．．，Ｍ−１について、送信アンテナｍの巡回遅延の長さである、付記７３に記載のコンピュータプログラム製品。
［付記７９］
無線通信システムにおいてチャネル推定を行うためのコンピュータプログラム製品であって、命令を格納しているコンピュータ可読媒体を備え、前記命令は１つまたは複数のプロセッサによって実行可能であり、前記命令は、
第１および第２のパイロットを備える第１の入力サンプルを得るための命令であって、前記第１のパイロットは、第１の巡回遅延に基づいて生成され、第１の送信アンテナから送信され、前記第２のパイロットは、第２の巡回遅延に基づいて生成され、第２の送信アンテナから送信され、前記第２の巡回遅延は、前記第１の巡回遅延より少なくともサイクリックプレフィックス長だけ長く、前記第１の入力サンプルは、第１の受信アンテナからのものである命令、および
前記第１の入力サンプルを処理して、前記第１の送信アンテナについての第１のチャネル推定値、および、前記第２の送信アンテナについての第２のチャネル推定値を得るための命令を備える、コンピュータプログラム製品。
［付記８０］
前記命令は、
前記第１および第２のパイロットを備える第２の入力サンプルを得るための命令であって、前記第２の入力サンプルは、第２の受信アンテナからのものである命令、および
前記第２の入力サンプルを処理して、前記第１の送信アンテナについての第３のチャネル推定値、および、前記第２の送信アンテナについての第４のチャネル推定値を得るための命令をさらに備える、付記７９に記載のコンピュータプログラム製品。
［付記８１］
前記第１の入力サンプルを処理するための前記命令は、
前記第１の入力サンプルを処理して、パイロットサブキャリアについての観測結果を得るための命令、および
前記観測結果を処理して、前記第１および第２のチャネル推定値を得るための命令を備える、付記７９に記載のコンピュータプログラム製品。
［付記８２］
前記第１の入力サンプルを処理して観測結果を得るための前記命令は、
前記第１の入力サンプルにおいてＯＦＤＭ復調を行い、前記パイロットサブキャリアのための受信パイロットシンボルを得るための命令、および
前記受信パイロットシンボルからパイロット変調を除去して、前記パイロットサブキャリアについての前記観測結果を得るための命令を備える、付記８１に記載のコンピュータプログラム製品。
［付記８３］
前記観測結果を処理するための前記命令は、最小平均２乗誤差（ＭＭＳＥ）技術に基づいて、前記観測結果を処理して、前記第１および第２のチャネル推定値を得るための命令を備える、付記８１に記載のコンピュータプログラム製品。
［付記８４］
前記パイロットサブキャリアは、ｐだけ間隔が離れており、ただし、ｐは、ＮＦＦＴを割り切れない素数であり、ＮＦＦＴは、ＯＦＤＭシンボルのためのＦＦＴサイズである、付記８１に記載のコンピュータプログラム製品。
［付記８５］
前記第２の入力サンプルを処理するための前記命令は、
前記第２の入力サンプルを処理して、パイロットサブキャリアについての観測結果を得るための命令、および
前記観測結果を処理して、前記第３および第４のチャネル推定値を得るための命令を備える、付記８０に記載のコンピュータプログラム製品。
［付記８６］
前記第２の入力サンプルを処理して観測結果を得るための前記命令は、
前記第２の入力サンプルにおいてＯＦＤＭ復調を行い、前記パイロットサブキャリアのための受信パイロットシンボルを得るための命令、および
前記受信パイロットシンボルからパイロット変調を除去して、前記パイロットサブキャリアについての前記観測結果を得るための命令を備える、付記８５に記載のコンピュータプログラム製品。
［付記８７］
前記観測結果を処理するための前記命令は、最小平均２乗誤差（ＭＭＳＥ）技術に基づいて、前記観測結果を処理して、前記第３および第４のチャネル推定値を得るための命令を備える、付記８５に記載のコンピュータプログラム製品。
［付記８８］
前記パイロットサブキャリアは、ｐだけ間隔が離れており、ただし、ｐは、ＮＦＦＴを割り切れない素数であり、ＮＦＦＴは、ＯＦＤＭシンボルのためのＦＦＴサイズである、付記８５に記載のコンピュータプログラム製品。
【図１】
0005579626.tif 000069
【図２】
0005579626.tif 000070
【図３】
0005579626.tif 000071
【図４】
0005579626.tif 000072
【図５】
0005579626.tif 000073
【図６】
0005579626.tif 000074
【図７】
0005579626.tif 000075
【図８】
0005579626.tif 000076
【図８Ａ】
0005579626.tif 000077
【図９】
0005579626.tif 000078
【図１０】
0005579626.tif 000079
【図１０Ａ】
0005579626.tif 000080